(57)【要約】発電システムは、ａ）１２０ＶＡＣ、ｂ）２４０／１２０ＶＡＣのような２モードのオペレーションを有し、三相交流電圧を起こす２つの独立した巻線のセットの永久磁石発電機を有する。第１の三相交流電圧は第１（親）サイクロコンバータ（Cyclo Converter:以下ＣＣ）と結合し、第２の三相交流電圧は第２（従属）ＣＣと結合している。各コンバータの非接地側出力は開閉器を通して互いに結合し、各ＣＣの継電器・接地側出力は接地し、コントローラはＣＣが第１の電圧を通って供給するように制御する。ａ）のとき、第１・第２のコンバータの非接地側出力を通る開閉器は閉じており、各非接地側出力をショートさせ、コントローラは非接地側出力が互いに一致するよう各コンバータを操作する。ｂ）のとき、第１・第２のコンバータの非接地側出力を通る開閉器は開いており、コントローラは非接地側出力電圧の位相が１８０度異なるように操作する。永久磁石発電機は発電システムの発動機を始動し、ＣＣを制御するために余弦波情報を発現させるブラシレスＤＣモータとして永久磁石発電機を駆動させるために用いる回転子位置計測装置を有する。
2006517377.tif 000002
【特許請求の範囲】
【請求項１】
第１および第２のモードを少なくとも有し、発電システムが第１のモードにあるときは第１の交流出力電圧を発生させ、第２のモードにあるときは上記第１の交流出力電圧および第２の交流出力電圧を発生させる発電システムであって、
上記第１の出力電圧を発生させる出力をそれぞれに有する第１および第２の電圧源と、開閉器が第１の位置にあるときは、第１および第２の電圧源の第１および第２の出力を並列に結合し、第２の位置にあるときは直列に結合して、上記開閉器が第１の位置にあるときは、上記第１および第２の電圧源の出力により上記第１の出力電圧が発生され、第２の位置にあるときは上記第１および第２の電圧源の出力に結合された組を通って第２の出力電圧が発生されて、また上記第１および第２の電圧源の出力により上記第１の出力電圧も発生される開閉器とを備えた発電システム。
【請求項２】
第１および第２の電圧源の出力が並列に結合されたとき上記第１の出力電圧によって得られる電流が、第１および第２の電圧源の出力が直列に結合されたとき上記第１の出力電圧によって得られる電流より多い請求項１に記載の発電システム。
【請求項３】
上記開閉器が第１の位置にあるときはそれらの上記第１の出力電圧が一致し、かつ上記開閉器が第２の位置にあるときには位相が１８０度異なるように上記第１および第２の電圧源を操作する、上記第１および第２の電圧源に結合されたコントローラをさらに含む請求項１に記載の発電システム。
【請求項４】
上記コントローラは、第１の電圧源を操作する第１のコントローラおよび第２の電圧源を操作する第２のコントローラを含む請求項３に記載の発電システム。
【請求項５】
上記第１および第２の電圧源は、上記第１および第２の電圧源の出力を供給する出力を有する交流電力変換装置にそれぞれ結合された発電機を含む請求項１に記載の発電システム。
【請求項６】
第１および第２の巻線のセットを有する一つの発電機は、上記第１および第２の電圧源の発電機、上記第１の電圧源の発電機を設けるように上記第１の電圧源の交流電力変換装置に結合された上記第１の巻線のセット、および上記第２の電圧源の発電機を設けるように上記第２の電圧源の交流電力変換装置に結合された上記第２の巻線のセットを設けている請求項５に記載の発電システム。
【請求項７】
上記第１および第２の電圧源の上記交流電力変換装置は、サイクロコンバータを含む請求項６に記載の発電システム。
【請求項８】
上記第１および第２の電圧源の上記サイクロコンバータに結合されたコントローラをさらに含み、開閉器が第１の位置にあるときはそれらの第１の出力電圧が一致し、かつ上記開閉器が第２の位置にあるときには位相が１８０度異なるように上記コントローラが上記第１および第２の電圧源の上記サイクロコンバータを操作する請求項７に記載の発電システム。
【請求項９】
コントローラが余弦波制御を用いて上記サイクロコンバータを操作する請求項８に記載の発電システム。
【請求項１０】
上記発電機は、発電機の回転子の位置を探査し、回転子の位置を示す信号を生成する少なくとも一つの回転子位置計測装置を含む請求項９に記載の発電システム。
【請求項１１】
上記コントローラは、上記回転子位置信号を用いてサイクロコンバータを操作するために用いる制御波形を発現させる請求項１０に記載の発電システム。
【請求項１２】
上記発電機が、互いに１２０度ずれている回転子の位置を示す信号を生成する複数の回転子位置計測装置を含む請求項９に記載の発電システム。
【請求項１３】
上記コントローラが、上記回転子位置信号を用いてそれがサイクロコンバータを操作するために用いる制御波形を発現させる請求項１２に記載の発電システム。
【請求項１４】
各サイクロコンバータは、自然に整流された開閉機器の正バンクおよび負バンクを含む請求項１３に記載の発電システム。
【請求項１５】
上記コントローラは、参照波を生成させ、かつ上記制御波形の上記参照波との比較に基づいて自然に整流された開閉機器のための点孤信号を生成することによって上記サイクロコンバータを操作する請求項１４に記載の発電システム。
【請求項１６】
自然に整流された上記開閉機器がシリコン整流装置を含む請求項１５に記載の発電システム。
【請求項１７】
自然に整流された各開閉機器がシリコン制御整流素子と光シリコン制御整流素子との組合せを含む請求項１５に記載の発電システム。
【請求項１８】
上記第１および第２発電機が、各相が少なくとも一つの巻線を有する巻線のセットを備えた三相発電機である請求項１５に記載の発電システム。
【請求項１９】
上記発電機が発動機を始動させるためのブラシレスＤＣモータとして上記発電機を駆動させる少なくとも一つの発電機巻線のセットに結合されている発動機およびブラシレスＤＣモータ駆動回路、ならびに上記ブラシレスＤＣモータ駆動回路のブラシレスＤＣモータコントローラに結合されている上記回転子位置計測装置を含む請求項１０に記載の発電システム。
【請求項２０】
上記発電機が、発動機を始動させるためのブラシレスＤＣモータとして上記発電機を駆動させる少なくとも一つの発電機巻線のセットに結合されている発動機およびブラシレスＤＣモータ駆動回路、ならびに上記ブラシレスＤＣモータ駆動回路のブラシレスＤＣモータコントローラに結合されている複数の上記回転子位置計測装置を含む請求項１２に記載の発電システム。
【請求項２１】
上記回転子位置計測装置がホール効果変換器を含む請求項１０に記載の発電システム。
【請求項２２】
複数の上記回転子位置計測装置は、ホール効果変換器を含む請求項１２に記載の発電システム。
【請求項２３】
複数の上記回転子位置計測装置は、ホール効果変換器を含む請求項２０に記載の発電システム。
【請求項２４】
前記開閉器は、単極開閉器を含む請求項１に記載の発電システム。
【請求項２５】
前記第１および第２の電圧源の出力は、それぞれ非接地側出力および接地側出力を有し、上記単極開閉器が上記第１の電圧源の第１非接地側出力および上記第２の電圧源の第２非接地側出力を通して結合されている単極継電器の単極を備えた一つの上記単極継電器である請求項２４に記載の発電システム。
【請求項２６】
上記コントローラは、各サイクロコンバータの自然に整流された開閉機器の正バンクおよび負バンクを非循環モードで操作し、上記サイクロコンバータの瞬時出力電流に基づいて上記コントローラが正バンクおよび負バンクのうちの一つを動作可能にし、もう一つを動作不能にする請求項１４に記載の発電システム。
【請求項２７】
上記コントローラは、上記サイクロコンバータの瞬時出力電流が正から負に移行するときには各サイクロコンバータの正バンクを動作不能にし、その後、上記サイクロコンバータの出力において真電流ゼロ状態が起こった後にのみ上記サイクロコンバータの負バンクを動作可能にし、さらに上記コントローラは、上記サイクロコンバータの瞬時出力電流が負から正に移行するときに各サイクロコンバータの負バンクを動作不可能にし、その後、上記サイクロコンバータの出力において真電流ゼロ状態が起こった後にのみ上記サイクロコンバータの負バンクを動作可能にする請求項２６に記載の発電システム。
【請求項２８】
各サイクロコンバータのために、上記サイクロコンバータの出力における 真電流ゼロ状態が、上記サイクロコンバータの実際の出力電流が第１および第２基準レベルの間にあることを決定するコンパレータによって決定される請求項２７に記載の発電システム。
【請求項２９】
上記第１および第２の基準レベルが＋２５ｍＡおよび−２５ｍＡである請求項２８に記載の発電システム。
【請求項３０】
上記コントローラは、各サイクロコンバータのために、上記サイクロコンバータの正バンクおよび負バンクが非電導性であることを検出することによって上記サイクロコンバータの出力における真電流ゼロ状態が起こることを決定する請求項２７に記載の発電システム。
【請求項３１】
上記サイクロコンバータのうちの一つの正バンクおよび負バンクが非電導性であることを検出する上記コントローラが、上記サイクロコンバータの正バンクおよび負バンクの自然に整流された各開閉機器を通る電圧がすべて所定のレベルよりも高いことを検出することを含む請求項３０に記載の発電システム。
【請求項３２】
電流リップルを減少させ、バンドパスフィルタによる基本周波数における信号出力は各サイクロコンバータの瞬時出力電流に関していかなる位相シフトも有しないということを保証するために、上記サイクロコンバータの瞬時出力電流をフィルタリングする各サイクロコンバータのためのバンドパスフィルタをさらに含み、上記バンドパスフィルタによる信号出力は上記瞬時出力電流が正から負に移行したかまたは負から正に移行したかを示す信号を生成するコンパレータの入力と結合されている請求項２７に記載の発電システム。
【請求項３３】
上記基本周波数は６０ヘルツである請求項３２に記載の発電システム。
【請求項３４】
前記第１の出力電圧は公称（nominally）１２０ＶＡＣであり、前記第２の出力電圧は公称２４０ＶＡＣである請求項１に記載の発電システム。
【請求項３５】
発電システムにおいて、サイクロコンバータに結合されている出力を有し、上記サイクロコンバータが自然に整流された開閉機器の正バンクおよび自然に整流された開閉機器の負バンクを有する交流発電機と、
正バンクおよび負バンクの自然に整流された開閉機器に結合されたコントローラと、
上記コントローラに結合されており、発電機の回転子の位置を探査して回転子の位置を示す信号を生成するための回転子位置計測装置と、
上記正バンクおよび負バンクの自然に整流された開閉機器の交換接続を操作するために用いる制御波形を発現させるために回転子位置信号を用いる上記コントローラとを備えた発電システム。
【請求項３６】
上記回転子位置計測装置が、互いに１２０度ずれている回転子の位置を示す信号を生成する複数の回転子位置計測装置を含む請求項３５に記載の発電システム。
【請求項３７】
複数の上記回転子位置計測装置がホール効果変換器を含む請求項３６に記載の発電システム。
【請求項３８】
上記コントローラが参照波を生成し、かつ制御波形と上記参照波との比較に基づいて上記正バンクおよび負バンクの自然に整流された開閉機器のための点孤信号を生成する請求項３６に記載の発電システム。
【請求項３９】
上記交流発電機は、発動機を始動させるためのブラシレスＤＣモータとして上記発電機を駆動させる少なくとも一つの発電機巻線のセットに結合されている発動機およびブラシレスＤＣモータ駆動回路、ならびに上記ブラシレスＤＣモータ駆動回路のブラシレスＤＣモータコントローラに結合されている複数の上記回転子位置計測装置を含む請求項３８に記載の発電システム。
【請求項４０】
上記コントローラは、各サイクロコンバータのために、上記サイクロコンバータの正バンクおよび負バンクを非循環モードで操作し、上記サイクロコンバータの瞬時出力電流に基づいて上記コントローラが正バンクおよび負バンクのうちの一つを動作可能にし、もう一つを動作不能にする請求項３６に記載の発電システム。
【請求項４１】
上記コントローラは、各サイクロコンバータのために、正と負または負と正との間を移行している上記サイクロコンバータの瞬時出力電流に基づいて上記サイクロコンバータの正バンクおよび負バンクのうちの一つを動作可能に、もう一つを動作不可能にし、上記コントローラが上記サイクロコンバータの出力において真電流ゼロ状態が起こった後にのみ上記サイクロコンバータの正バンクおよび負バンクを動作可能にする請求項４０に記載の発電システム。
【請求項４２】
各サイクロコンバータのために、上記サイクロコンバータの出力における真電流ゼロ状態が、上記サイクロコンバータの実際の出力電流が第１および第２の基準レベルの間にあることを決定するコンパレータによって決定される請求項４１に記載の発電システム。
【請求項４３】
上記第１および第２の基準レベルが＋２５ｍＡおよび−２５ｍＡである請求項４２に記載の発電システム。
【請求項４４】
上記コントローラが、正バンクおよび負バンクが非電導性であることを検出することにより上記サイクロコンバータのうち一つの出力における真電流ゼロ状態が起こることを決定する請求項４１に記載の発電システム。
【請求項４５】
上記正バンクおよび負バンクが非電導性であることを検出する上記コントローラは、電圧が自然に整流された各開閉機器を通ることを検出し、かつ上記正バンクおよび負バンクが所定のレベルよりも高いことを検出することを含む請求項４４に記載の発電システム。
【請求項４６】
電流リップルを減少させ、上記バンドパスフィルタによる基本周波数における信号出力は、瞬時出力電流に関していかなる位相シフトも有しないということを保証するために、上記サイクロコンバータの瞬時出力電流をフィルタリングするバンドパスフィルタをさらに含み、上記バンドパスフィルタによる信号出力は上記瞬時出力電流が正から負に移行したかまたは負から正に移行したかを示す信号を生成するコンパレータの入力と結合されている請求項４１に記載の発電システム。
【請求項４７】
基本周波数が６０ヘルツである請求項４６に記載の発電システム。
【請求項４８】
自然に整流された開閉機器がシリコン整流装置を含む請求項３５に記載の発電システム。
【請求項４９】
自然に整流された各開閉機器がシリコン制御整流素子と光シリコン制御整流素子との組合せを含む請求項３５に記載の発電システム。
【請求項５０】
サイクロコンバータに結合されている出力を有し、上記サイクロコンバータが自然に整流された開閉機器の正バンクおよび自然に整流された開閉機器の負バンクを有する上記交流発電機と、
正バンクおよび負バンクの自然に整流された開閉機器に結合されたコントローラと、
上記正バンクおよび負バンクを非循環モードで操作し、上記サイクロコンバータの瞬時出力電流に基づいて各コンバータの正バンクおよび負バンクのうちの一つを動作可能にしもう一つを動作不能にする上記コントローラと、
電流リップルを減少させ、バンドパスフィルタによる基本周波数における信号出力は各サイクロコンバータの瞬時出力電流に関していかなる位相シフトも有しないということを保証するために上記サイクロコンバータの瞬時出力電流をフィルタリングし、上記瞬時出力電流が正から負に移行したかまたは負から正に移行したかを示す信号を生成するコンパレータの入力と結合されている上記バンドパスフィルタにより上記信号が出力されるようになっている上記バンドパスフィルタとを備えた発電システム。
【請求項５１】
上記コントローラは、上記正バンクおよび負バンクのうちの一つを動作不可能にした後にのみもう一つを動作可能にし、それが上記サイクロコンバータの出力が真電流ゼロ状態を通過したことを検出し、自然に整流された各開閉機器が非電導性であることを示す所定のレベルよりも自然に整流された各開閉機器を通る電圧が高いときに上記サイクロコンバータの出力における上記真電流ゼロ状態が起きることを上記コントローラが検出する請求項５０に記載の発電システム。
【請求項５２】
基本周波数は、６０ヘルツである請求項５０に記載の発電システム。
【請求項５３】
自然に整流された各開閉機器が、シリコン制御整流素子と光シリコン制御整流素子との組合せを含む請求項５０に記載の発電システム。
【請求項５４】
サイクロコンバータに結合されている出力を有し、上記サイクロコンバータが自然に整流された開閉機器の正バンクおよび自然に整流された開閉機器の負バンクを有する交流発電機と、
シリコン制御整流素子と光シリコン制御整流素子との組合せを備えた自然に整流された各開閉機器とを備える発電システム。
【請求項５５】
第１のモードにあるときは公称１２０ＶＡＣの出力電圧を有し、第２のモードにあるときは公称１２０ＶＡＣおよび公称２４０ＶＡＣとの両方の出力電圧を有するデュアルモード発電システムにおいて、
絶縁された三相巻線と回転子との第１および第２のセットを有する永久磁石発電機と、
上記永久磁石発電機の上記回転子を駆動させるための発動機と、
互いに１２０度ずれている回転子の位置を示す信号を生成する複数の回転子位置計測装置と、
上記発電機の巻線の第１セットに結合された第１のサイクロコンバータおよび上記発電機の巻線の第２セットに結合された第２のサイクロコンバータと、
それぞれに非接地側出力および接地側出力を有し第１のサイクロコンバータの上記非接地側出力が第１アウトレットの上記非接地側出力に、第１のサイクロコンバータの上記接地側出力が第１アウトレットの上記接地側出力に、第２のサイクロコンバータの上記非接地側出力が第２アウトレットの非接地側出力に、第２のサイクロコンバータの上記接地側出力が第２アウトレットの上記接地側出力に結合された第１および第２のコンバータと、
それぞれが上記自然に整流された開閉機器の正バンクおよび自然に整流された開閉機器の負バンクを有する第１および第２のコンバータと、
第１のサイクロコンバータの非接地側出力および接地側出力を通って結合された第１フィルタコンデンサおよび第２のサイクロコンバータの非接地側出力および接地側出力を通って結合された第２フィルタコンデンサと、
第１および第２アウトレットの非接地側出力を通って結合された第３アウトレットおよび第１および第２アウトレットの非接地側出力を通って結合された開閉機と、
それが第１および第２のサイクロコンバータの自然に整流された開閉機器の交換接続を操作するために用いる余弦制御波形を発現させるために上記回転子位置計測装置により生成された信号を用い、上記開閉器が閉じており第１および第２アウトレットで１２０ＶＡＣの公称出力電圧が上記発電システムが第２のモードにあるときより多くの電流とともに発生する第１および第２のサイクロコンバータの非接地側出力が並列している第１のモードに発電システムがあるときには、第１および第２のサイクロコンバータの非接地側出力の出力電圧が一致するように上記第１および第２のサイクロコンバータを操作し、かつ上記開閉器が開いており第３アウトレットが上記第１および第２アウトレットで発生する１２０ＶＡＣの公称出力電圧と上記第３アウトレットで発生する２４０ＶＡＣの公称出力電圧との両方を備えた上記第１および第２のサイクロコンバータの非接地側出力と直列に連結している第２のモードに発電システムがあるときには第１および第２のサイクロコンバータの非接地側出力の出力電圧の位相が互いに１８０度異なるように上記第１および第２のサイクロコンバータを操作する自然に整流された上記開閉機器および上記回転子位置計測装置に結合されたコントローラと、を備えた、第１のモードにあるときは１２０ＶＡＣの公称出力電圧を有し第２のモードにあるときは公称２４０ＶＡＣの出力電圧を有すデュアルモード発電システム。
【請求項５６】
さらに、上記発電機および上記発電機と上記回転子位置計測装置とに結合されているブラシレスＤＣモータ駆動回路を駆動させる発動機を含み、上記ブラシレスＤＣモータ駆動回路が発動機を始動させるために上記発電機をブラシレスＤＣモータとして駆動させる請求項５５に記載の発電システム。
【請求項５７】
上記回転子位置計測装置はホール効果変換機を含む請求項５６に記載の発電システム。
【請求項５８】
上記開閉器が単極開閉器である請求項５５に記載の発電システム。
【請求項５９】
上記単極開閉器が単極継電器である請求項５８に記載の発電システム。
【請求項６０】
自然に整流された各開閉機器がシリコン制御整流素子と光シリコン制御整流素子との組合せを含む請求項５５に記載の発電システム。
【請求項６１】
上記コントローラは、各サイクロコンバータの自然に整流された開閉機器の正バンクおよび負バンクを非循環モードで操作し、そこで上記コントローラが上記サイクロコンバータの非接地側出力において真電流ゼロ状態が起こったことを検出した後にのみ各サイクロコンバータの正バンクおよび負バンクのうちの一つを動作可能にする正と負または負と正との間を移行している上記サイクロコンバータの瞬時出力電流に基づいて上記コントローラが正バンクおよび負バンクのうちの一つを動作可能にし、もう一つを動作不可能にする請求項５５に記載の発電システム。
【請求項６２】
上記コントローラが、上記サイクロコンバータの正バンクおよび負バンクの自然に整流された各開閉機器を通る電圧が、上記サイクロコンバータの自然に整流された各開閉機器が非電導性であることを示す所定のレベルよりも高いことを検出したときに、上記サイクロコンバータのうちの一つの非接地側出力において真電流ゼロ状態が起こったことを検出する請求項６１に記載の発電システム。
【請求項６３】
さらに、電流リップルを減少させ、各バンドパスフィルタによる信号出力の６０ヘルツの基本波成分は上記サイクロコンバータの非接地側出力において瞬時出力電流に関していかなる位相シフトも有しないということを保証するために、上記サイクロコンバータの非接地側出力における瞬時出力電流をフィルタリングする各サイクロコンバータのためのバンドパスフィルタを含み、上記バンドパスフィルタによる信号出力は上記瞬時出力電流が正から負に移行するかまたは負から正に移行するかを示す信号を生成するコンパレータの入力と結合されている請求項６２に記載の発電システム。
【請求項６４】
前記発電機がモード間で交換接続し上記発電システムが第１のモードから第２のモードに交換接続する場合、上記コントローラが、
ａ．開閉器を開き、
ｂ．上記第１および第２のサイクロコンバータの自然に整流された各開閉機器をそれらがすべて非電導性になるよう動作不可能にし、
ｃ．所定の遅延の後、第１および第２のサイクロコンバータの、非接地側出力の位相が互いに１８０度異なるように第１および第２のサイクロコンバータの自然に整流された各開閉機器を再び動作可能にし、
かつ、上記発電システムが第２のモードから第１のモードに交換接続する場合、上記コントローラが、
ａ．上記第１および第２のサイクロコンバータのうちの一つの自然に整流された各開閉機器を動作不可能にし、
ｂ．所定の遅延の後、第１および第２のサイクロコンバータの非接地側出力が一致するように動作不可能にされていた自然に整流された開閉機器を再び動作可能にし、
ｃ．開閉器を閉じる、請求項５５に記載の発電システム。
【請求項６５】
上記所定の遅延が３、５電気周期（electrical cycle ）である請求項６４に記載の発電システム。
【請求項６６】
発電システムが第１のモードにあるときは第１の交流出力電圧を発生させ、第２のモードにあるときは上記第１の出力電圧および第２の交流出力電圧を発生させ、上記第２の出力電圧は上記第１の出力電圧の２倍であり、少なくとも第１および第２のモードを有する上記発電システムを操作する方法において、
前記第１および第２の電圧源の出力を直列に結合しかつ上記発電システムが第１のモードにあるときは上記第１および第２の電圧源の出力の電圧が互いに一致するように上記第１および第２の電圧源を操作することと、
前記第１および第２の電圧源の出力を並列に結合しかつ上記第２の出力電圧が上記第１および第２の電圧源の直列結合された出力を通って発生し上記第１の出力電圧が上記第１および第２の電圧源の各出力において発生する第２のモードに上記発電システムがあるときは上記第１および第２の電圧源の出力の電圧の位相が１８０度異なるように上記第１および第２の電圧源を操作することと、
を備えた、発電システムが第１のモードにあるときは第１交流出力電圧を発生させ、第２のモードにあるときは上記第１の出力電圧および第２の交流出力電圧を発生させ、上記第２の出力電圧は上記第１の出力電圧の２倍であり、少なくとも第１および第２のモードを有する上記発電システムを操作する方法。
【請求項６７】
永久磁石発電機の回転子の位置を示す回転子位置信号の生成と、上記回転子位置信号からの前記制御波形の発現および第１および第２のサイクロコンバータを制御するための上記制御波形の使用とを含み、上記第１のサイクロコンバータが上記永久磁石発電機の第１の巻線のセットに結合され、かつ上記第２のサイクロコンバータが上記永久磁石発電機の第２の巻線のセットに結合され、上記第１のサイクロコンバータが第１の電圧源の出力を供給する出力を有し、かつ上記第２のサイクロコンバータが第２の電圧源の出力を供給する出力を有する、請求項６６に記載の方法。
【請求項６８】
参照波の生成、上記参照波と上記制御波形との比較、および上記参照波と上記制御波形との比較に基づいた上記第１および第２のサイクロコンバータの上記自然に整流された開閉機器の交換接続の制御を含む請求項６７に記載の方法。
【請求項６９】
上記永久磁石発電機を駆動させる発動機、発動機を始動させるためのブラシレスＤＣモータとして上記永久磁石発電機を駆動させるブラシレスＤＣモータ駆動回路を備えた上記永久磁石発電機の少なくとも一つの第１および第２の巻線のセットの駆動を含む上記方法、および上記永久磁石発電機をブラシレスＤＣモータとして駆動させる際に上記回転子位置信号を用いるブラシレスＤＣモータ駆動回路のブラシレスＤＣモータコントローラを上記発電システムが含む、請求項６７に記載の方法。
【請求項７０】
各サイクロコンバータが自然に整流された上記開閉機器の正バンクおよび負バンクと、各サイクロコンバータの正バンクおよび負バンクを非循環モードで操作することと、上記サイクロコンバータの出力において真電流ゼロ状態が起こった後にのみ上記サイクロコンバータのうちの一つの正バンクおよび負バンクのうちの一つが動作可能にされ正と負または負と正との間を移行している上記サイクロコンバータの瞬時出力電流に基づいて正バンクおよび負バンクのうちの一つを動作可能にし、もう一つを動作不可能にすることを含む上記方法を含む請求項６７に記載の方法。
【請求項７１】
上記サイクロコンバータの自然に整流された開閉機はがすべて非電導性であるとき上記サイクロコンバータのうちの一つの出力において真電流ゼロ状態が起こることを決定することを含む請求項７０に記載の方法。
【請求項７２】
各サイクロコンバータの自然に整流された各開閉機器を通る電圧を検出することおよび上記サイクロコンバータのすべての自然に整流された各開閉機器を通る電圧が所定のレベルよりも高いとき上記サイクロコンバータのうちの一つの自然に整流された各開閉機器がすべて非電導性であることを決定することを含む請求項７１に記載の方法。
【請求項７３】
電流リップルを減少させ、各フィルタ処理された信号の基本周波数成分はフィルタリングされている各サイクロコンバータの瞬時出力電流に関して、いかなる位相シフトも有しないということを保証するために、その瞬時出力電流からフィルタ処理された信号を生成するために各サイクロコンバータの瞬時出力電流のバンドパスフィルタリング、および対応するサイクロコンバータの上記瞬時出力電流が正から負に移行したかまたは負から正に移行したかを決定するための少なくとも一つの基準レベルと各フィルタ処理された信号との比較を含む請求項７２に記載の方法。
【請求項７４】
上記基準レベルが＋０、１Ａおよび−０、１Ａという上記第１および第２の基準レベルを含み、上記基本周波数が６０ヘルツである請求項７３に記載の方法。
【請求項７５】
第１の電圧源の出力と第２の電圧源の出力との並列または直列の結合が、上記出力が直列に結合されるよう開き、上記出力が並列に結合されるよう閉じる第１および第２の電圧源を通って結合された単極開閉器の交換接続を含む請求項６６に記載の方法。
【請求項７６】
上記単極開閉器は、単極継電器である請求項７５に記載の方法。
【請求項７７】
開閉器が上記第１および第２の電圧源の出力の間に結合され、上記方法が、まず上記開閉器を開きそれからそれらがすべて電導性になるように上記第１および第２のサイクロコンバータの自然に整流された各開閉機器を動作不可能にしそして再び上記第１および第２のサイクロコンバータの自然に整流された各開閉機器を動作可能にすることおよび上記第１のおよび第２のサイクロコンバータを上記第１および第２のサイクロコンバータの出力で発生する電圧の位相が互いに１８０度異なるように操作することによる上記発電システムの第１のモードから第２のモードへの交換接続と、
上記第１および第２のサイクロコンバータのうちの一つの自然に整流された開閉機器を動作不可能にしそれから動作不可能にされていた自然に整流された上記開閉機器を所定の遅延の後再び動作可能にすることおよび上記第１および第２のサイクロコンバータを上記第１および第２のサイクロコンバータの出力で発生する電圧が一致するように操作しそして上記開閉器を閉じることによる上記発電システムの第２のモードから第１のモードへの交換接続とを含む請求項７０に記載の方法。
【請求項７８】
上記永久磁石発電機の回転子の位置を示す回転子位置信号の生成が、互いに１２０度ずれている回転子位置信号の生成を含む請求項６８に記載の方法。
【請求項７９】
回転子位置信号の生成が前記ホール効果変換器によるそれらの生成を含む請求項７８に記載の方法。
【請求項８０】
第１のモードにあるときは公称１２０ＶＡＣの出力電圧を、第２のモードにあるときは公称１２０ＶＡＣと２４０ＶＡＣとの両方の出力電圧を有し、絶縁された三相巻線と回転子との第１および第２のセットを有する永久磁石発電機を有する発電システム、上記永久磁石発電機の上記回転子を駆動させるための発動機、互いに１２０度ずれている回転子の位置を示す信号を生成する複数の回転子位置計測装置、上記発電機の巻線の第１のセットに結合された第１のサイクロコンバータおよび上記発電機の巻線の第２のセットに結合された第２のサイクロコンバータ、それぞれに非接地側出力および接地側出力（output）を有し第１のサイクロコンバータの上記非接地側出力が第１のアウトレット（outlet）の上記非接地側出力に、第１のサイクロコンバータの上記接地側出力が第１のアウトレットの上記接地側出力に、第２のサイクロコンバータの上記非接地側出力が第２のアウトレットの非接地側出力に、第２のサイクロコンバータの上記接地側出力が第２アウトレットの上記接地側出力に結合された第１および第２のコンバータ、それぞれが上記自然に整流された開閉機器の正バンクおよび自然に整流された開閉機器の負バンクを有する第１および第２のコンバータ、第１のサイクロコンバータの非接地側出力および接地側出力を通って結合された第１のフィルタコンデンサおよび第２のサイクロコンバータの非接地側出力および接地側出力を通って結合された第２のフィルタコンデンサ、第１および第２のアウトレットの非接地側出力を通って結合された第３のアウトレットおよび第１および第２のアウトレットの非接地側出力を通って第３のアウトレットと並列に結合された開閉器を有するデュアルモード発電システムにおいて、
第１および第２のサイクロコンバータの自然に整流された開閉機器の交換接続を制御するための余弦制御波形を発現させるために上記永久磁石発電機の回転子の位置を示す信号を使用することと、
上記開閉器が閉じており上記第１および第２のサイクロコンバータの非接地側出力が並列に結合されそれらの非接地側出力の出力電圧が一致するように上記第１および第２のサイクロコンバータを操作し上記発電システムが第２のモードにあるときに得られるよりも多くの電流とともに公称１２０ＶＡＣの出力電圧が第１および第２のアウトレットで発生する第１のモードで上記発電システムを操作することと、
および上記開閉器が開いており上記第１および第２のサイクロコンバータの非接地側出力が直列に結合されそれらの非接地側出力の出力電圧の位相が１８０度異なるように上記第１および第２のサイクロコンバータを操作し公称１２０ＶＡＣの出力電圧が第１および第２アウトレットで発生しまた公称２４０ＶＡＣの出力電圧が第３アウトレットで発生する第２のモードで上記発電システムを操作することとを含むデュアルモード発電システムの操作方法。
【請求項８１】
上記発電システムが上記永久磁石発電機の回転子を駆動させるための発動機を含み、上記方法が発動機を始動させるためにブラシレスＤＣモータとして上記永久磁石発電機を駆動させるために上記回転子位置信号を使用することを含む請求項８０に記載の方法。
【請求項８２】
参照波の生成、上記参照波および上記余弦制御波形との比較、および上記参照波と上記余弦制御波形との比較に基づいた上記第１および第２のサイクロコンバータの上記自然に整流された開閉機器の交換接続の制御を含む請求項８０に記載の方法。
【請求項８３】
各サイクロコンバータの正バンクおよび負バンクの自然に整流された開閉機器を非循環モードで操作すること、各サイクロコンバータのために正と負または負と正との間を移行している上記サイクロコンバータの瞬時出力電流に基づいて上記サイクロコンバータの正バンクおよび負バンクのうちの一つを動作可能にし、もう一つを動作不可能にすることならびに上記サイクロコンバータの非接地側出力において真電流ゼロ状態が起こった後にのみ動作可能にされるその正バンクおよび負バンクのうちの一つを動作可能にすることを含む請求項８１に記載の方法。
【請求項８４】
上記サイクロコンバータのすべての自然に整流された開閉機器が非電導性であるとき上記サイクロコンバータの非接地側出力において真電流ゼロ状態が起こることを各サイクロコンバータが決定することを含む請求項８３に記載の方法。
【請求項８５】
各サイクロコンバータが自然に整流された各開閉機器を通る電圧を検出すること、および上記サイクロコンバータの自然に整流された各開閉機器を通る電圧がすべて所定のレベルよりも高いとき上記サイクロコンバータのすべての自然に整流された各開閉機器が非電導性であることを決定することを含む請求項８４に記載の方法。
【請求項８６】
電流リップルを減少させ、フィルタ処理された信号の６０ヘルツの基本波成分は各サイクロコンバータの瞬時出力電流に関していかなる位相シフトも有しないということを保証するためにその瞬時出力電流からフィルタ処理された信号を生成するための各サイクロコンバータの瞬時出力電流のバンドパスフィルタリング、およびそのサイクロコンバータの上記瞬時出力電流が正から負に移行したかまたは負から正に移行したかを決定するための少なくとも一つの基準レベルと上記フィルタ処理された信号との比較を含む請求項８３に記載の方法。
【請求項８７】
上記基準レベルが＋０．１Ａおよび−０．１Ａという第１および第２の基準レベルを含む請求項８６に記載の方法。
【請求項８８】
上記開閉器が単極開閉器である請求項８０に記載の方法。
【請求項８９】
まず上記開閉器を開きそれからそれらがすべて電導性になるように上記第１および第２のサイクロコンバータの自然に整流された各開閉機器を動作不可能にしそして再び上記第１および第２のサイクロコンバータの自然に整流された各開閉機器を動作可能にすることおよび上記第１および第２のサイクロコンバータを上記第１および第２のサイクロコンバータの出力で発生する電圧の位相が互いに１８０度異なるように操作することによる上記発電システムの第１のモードから第２のモードへの交換接続と、
上記第１および第２のサイクロコンバータのうちの一つの自然に整流された開閉機器を動作不可能にしそれから動作不可能にされていた上記自然に整流された開閉機器を所定の遅延の後再び動作可能にすることおよび上記第１および第２のサイクロコンバータを上記第１および第２のサイクロコンバータの出力で発生する電圧が一致するように操作しそして上記開閉器を閉じることによる上記発電システムの第２のモードから第１のモードへの交換接続とを含む請求項８０に記載の方法。
【請求項９０】
サイクロコンバータが自然に整流された開閉機器の正バンクおよび自然に整流された開閉機器の負バンクを有し、回転子の位置に基づいて制御波形を発現させることおよび上記制御波形を上記自然に整流された開閉機器の交換接続のために使用することを含む、上記サイクロコンバータに結合された出力を備えた交流発電機を有する発電システムを操作する方法。
【請求項９１】
上記発電システムは、互いに１２０度ずれている回転子の位置を示す信号を生成する複数の回転子位置計測装置を含み、制御波形を生成するために上記回転子位置信号を用いることを含む請求項９０に記載の方法。
【請求項９２】
参照波の生成、上記制御波形と上記参照波との比較、および上記制御波形と上記参照波との比較に基づいた自然に整流された開閉機器の点孤信号の生成を含む請求項９１に記載の方法。
【請求項９３】
上記発電システムが、交流発電機を駆動させる発動機を含み、交流発電機を上記発動機を始動させるためのブラシレスＤＣモータとして駆動させることおよびその中で上記回転子位置信号を用いることを含む請求項９２に記載の方法。
【請求項９４】
各サイクロコンバータの正バンクおよび負バンクを非循環モードで操作すること、正と負または負と正との間を移行している上記サイクロコンバータの瞬時出力電流に基づいて上記正バンクおよび負バンクのうちの一つを動作可能にし、もう一つを動作不可能にすることを含み、動作不可能にされた正バンクおよび負バンクのうちの一つは上記サイクロコンバータの出力において真電流ゼロ状態が起こった後にのみ動作可能にされる請求項９１に記載の方法。
【請求項９５】
自然に整流された開閉機器がすべて非電導性であるときに真電流ゼロ状態が起こることを決定することを含む請求項９４に記載の方法。
【請求項９６】
自然に整流された各開閉機器を通る電圧を検出することおよびすべての自然に整流された各開閉機器を通る電圧が所定のレベルよりも高いとき自然に整流された各開閉機器がすべて非電導性であることを決定することを含む請求項９５に記載の方法。
【請求項９７】
電流リップルを減少させ、各フィルタ処理された信号の基本周波数成分は瞬時出力電流に関していかなる位相シフトも有しないということを保証するためにその瞬時出力電流からフィルタ処理された信号を生成するために各サイクロコンバータの瞬時出力電流のバンドパスフィルタリング、および対応するサイクロコンバータの上記瞬時出力電流が正から負に移行したかまたは負から正に移行したかを決定するための少なくとも一つの基準レベルとフィルタ処理された信号との比較を含む請求項９６に記載の方法。
【請求項９８】
上記基準レベルが＋０．１Ａおよび−０．１Ａという上記第１および第２の基準レベルを含む請求項９７に記載の方法。
【請求項９９】
サイクロコンバータに結合された出力を備えた交流発電機を有し、上記サイクロコンバータが自然に整流された開閉機器の正バンクおよび自然に整流された開閉機器の負バンクを有する発電システムを制御する方法において、上記方法が上記サイクロコンバータの正バンクおよび負バンクを非循環モードで操作し、上記サイクロコンバータの出力で発生され正と負または負と正との間を移行している上記サイクロコンバータの瞬時出力電流に基づいて上記コントローラが正バンクおよび負バンクのうちの一つを動作可能にし、もう一つを動作不可能にすること、電流リップルを減少させ、フィルタ処理された信号の基本周波数成分は瞬時出力電流に関していかなる位相シフトも有しないということを保証するためにフィルタ処理された信号を生成する上記サイクロコンバータの瞬時出力電流のバンドパスフィルタリング、および上記フィルタ処理された信号と上記瞬時出力電流が正から負に移行したかまたは負から正に移行したかを決定するための少なくとも一つの基準レベルとの比較を含む方法。
【請求項１００】
正バンクおよび負バンクのうちの一つが動作不可能にされ、かつ上記サイクロコンバータの出力において真電流ゼロ状態が起こった後にのみ、動作不可能にされていた正バンクおよび負バンクのうちのもう一つを動作可能にすることを含む請求項９９に記載の方法。
【請求項１０１】
自然に整流された開閉機器がすべて非電導性であるときに、真電流ゼロ状態が起こることを決定することを含む、請求項１００に記載の方法。
【請求項１０２】
自然に整流された各開閉機器を通る電圧の検出、およびすべての自然に整流された各開閉機器を通る電圧が所定のレベルよりも高いとき、自然に整流された各開閉機器がすべて非電導性であることの決定を含む請求項１０１に記載の方法。
【請求項１０３】
上記基本周波数が６０ヘルツである請求項９９に記載の方法。
【請求項１０４】
上記基準レベルが＋０．１Ａおよび−０．１Ａという上記第１および第２の基準レベルを含む請求項９９に記載の方法。
【請求項１０５】
上記コントローラが上記第１のサイクロコンバータを操作する第１のコントローラ、および上記第２のサイクロコンバータを操作する第２コントローラを含む請求項３５に記載の発電システム。
【請求項１０６】
上記コントローラが上記第１のサイクロコンバータを操作する第１のコントローラ、および上記第２のサイクロコンバータを操作する第２のコントローラを含む請求項５５に記載の発電システム。
【請求項１０７】
上記コントローラが前記回転子位置信号を用いて上記発電機のｂａｃｋ−ＥＭＦ電圧波形をシミュレートし、上記サイクロコンバータを制御するために使用する上記ｂａｃｋ−ＥＭＦ電圧波形から制御波形を発現させる請求項１０に記載の発電システム。
【請求項１０８】
上記コントローラが上記回転子位置信号を用いて上記発電機のｂａｃｋ−ＥＭＦ電圧波形をシミュレートし、それが上記サイクロコンバータを制御するために使用する上記ｂａｃｋ−ＥＭＦ電圧波形から制御波形を発現させる請求項１２に記載の発電システム。
【請求項１０９】
上記コントローラが上記回転子位置信号を用いて上記発電機のｂａｃｋ−ＥＭＦ電圧波形をシミュレートし、上記サイクロコンバータを制御するために使用する上記ｂａｃｋ−ＥＭＦ電圧波形から制御波形を発現させる請求項３５に記載の発電システム。
【請求項１１０】
上記コントローラが上記回転子位置信号を用いて上記発電機のｂａｃｋ−ＥＭＦ電圧波形をシミュレートし、上記サイクロコンバータを制御するために使用する上記ｂａｃｋ−ＥＭＦ電圧波形から制御波形を発現させる請求項３６に記載の発電システム。
【請求項１１１】
上記コントローラが上記回転子位置信号を用いて上記発電機のｂａｃｋ−ＥＭＦ電圧波形をシミュレートし、上記サイクロコンバータを制御するために使用する上記ｂａｃｋ−ＥＭＦ電圧波形から制御波形を発現させる請求項５５に記載の発電システム。
【請求項１１２】
上記回転子位置信号を用いて上記発電機のｂａｃｋ−ＥＭＦ電圧波形をシミュレートすること、および上記ｂａｃｋ−ＥＭＦ電圧波形から上記制御波形を発現させることを含む請求項６７に記載の方法。
【請求項１１３】
上記回転子位置信号を用いて上記発電機のｂａｃｋ−ＥＭＦ電圧波形をシミュレートすること、および上記ｂａｃｋ−ＥＭＦ電圧波形から上記制御波形を発現させることを含む請求項８０に記載の方法。
【請求項１１４】
上記回転子位置信号を用いて上記発電機のｂａｃｋ−ＥＭＦ電圧波形をシミュレートすること、および上記ｂａｃｋ−ＥＭＦ電圧波形から上記制御波形を発現させることを含む請求項９０に記載の方法。
【請求項１１５】
ブラシレスＤＣモータ駆動回路に直流電力を供給するブラシレスＤＣモータ駆動回路に結合された携帯用標準バッテリパックをさらに含む請求項１９に記載の発電システム。
【請求項１１６】
ブラシレスＤＣモータ駆動回路に直流電力を供給するブラシレスＤＣモータ駆動回路に結合された携帯用標準バッテリパックをさらに含む請求項２０に記載の発電システム。
【請求項１１７】
ブラシレスＤＣモータ駆動回路に直流電力を供給するブラシレスＤＣモータ駆動回路に結合された携帯用標準バッテリパックをさらに含む請求項３９に記載の発電システム。
【請求項１１８】
ブラシレスＤＣモータ駆動回路に直流電力を供給するブラシレスＤＣモータ駆動回路に結合された携帯用標準バッテリパックをさらに含む請求項５６に記載の発電システム。
【請求項１１９】
ブラシレスＤＣモータ駆動回路に直流電力を供給するために、ブラシレスＤＣモータ駆動回路に結合された携帯用標準バッテリパックを使用することをさらに含む請求項６９に記載の方法。
【請求項１２０】
発動機の始動に際して、上記発電システムの携帯用標準バッテリの直流電力を使用することをさらに含む請求項８１に記載の方法。
【請求項１２１】
発動機の始動に際して、上記発電システムの携帯用標準バッテリの直流電力を使用することをさらに含む請求項９３に記載の方法。
【発明の詳細な説明】
【発明の詳細な説明】
【０００１】
［関連出願の参照］
本出願では、２００３年１月１７日に出願された仮出願第６０／４４０，９５９号の利益を主張する。
【０００２】
［発明の分野］
本発明は、携帯用発電機、より具体的には、１２０ＶＡＣモードのオペレーションおよび２４０／１２０ＶＡＣモードのオペレーションを有するサイクロコンバータを用いる携帯用の発電機に関する。
【０００３】
［発明の背景］
現代、携帯用発電機は、所望の発生出力を供給するために、一般に同期オルタネータまたはサイクロコンバータを用いており、それらは１２０ＶＡＣまたは２４０ＶＡＣであることが普通である。いかなる携帯用発電機においても重要と考えられることは、電圧変動率、デュアルボルテージ出力能力、アイドリング電圧および周波数、周波数許容偏差、高調波ひずみ、交流誘導電動機オペレーション、および充電器オペレーション、接地構成、（１２０−２４０ボルト）４ブレードツイストロック互換性（4-blade twist-lock compatibility）、負荷変動への応答ならびにサイズおよび重さである。
【０００４】
アイドリング電圧および周波数については、同期オルタネータを用いるよりも電気による解決策（すなわちインバータ技術）をアイドリング状態で用いて１２０ボルトおよび６０ヘルツを供給するほうがはるかに容易である。より高い電圧は、オルタネータコイルがより回転し、その結果としてコイル抵抗が増加しシステム有効度が低減することを必要とする。
【０００５】
携帯用発電機の出力波形に現れる高調波ひずみもまた伝えられるべき重要なことと考えられる。一方波形の純度は一定のスピードの標準モータ式携帯用動力工具には重要ではないが、誘導電動機および充電器の運転には重要である。誘導電動機は、ひずみ波形で運転されるが、入力の高調波含有量はトルクでなく熱に変換される。もしひずみ波形を発生するインバータトポロジー効果が実施されると、高調波からの過度の熱を計量する必要がある。正弦波パルス幅変調（ＰＷＭ）インバータは優れた波形を高周波音だけで発生させるが、それらは完全なＨブリッジを必要とする傾向があり、それは北アメリカの接地慣習（grounding convention）および４ブレードツイストロック配線の慣習(wiring convention )に容易に適応するものではなかった。
【０００６】
北アメリカの接地構成に関しては、基準接地慣習は、各１２０ボルト回路の一側面（接地側）が接地されることを必要とする。これは２４０ボルト回路が floating ground を有することを意味する。
【０００７】
さらに重要なのは４（１２０−２４０ボルト）ブレードツイストロック互換性である。この慣習は、四つの電線すなわち接地、接地側、１２０ボルト線１および１２０ボルト線２を必要とする。各１２０ボルト回路は１２０ボルト線と接地側線との間に結合されている。上記２４０ボルト回路は１２０ボルト線１と１２０ボルト線２との間に結合されている。  また、負荷変動に応答する発電機の能力も重要である。すべてのインバータトポロジー効果は、同期オルタネータによって用いられる大きな磁界インダクタンス（field inductance ）のため、負荷変動への応答を同期オルタネータよりも速くする。
【０００８】
また、事実上インバータトポロジー効果が同期オルタネータの利点を超えるサイズおよび重さの利点を与えるため、サイズおよび重さに関しても、インバータトポロジー効果を用いることが望ましい。しかしながら、正弦波を二つのハーフブリッジ回路から発生させようとすると、インバータトポロジー効果によって与えられる減容の利点を低減しうる大型コンデンサが必要となる。
【０００９】
発電機によって発生された交流電圧を所望の交流出力電圧に変換するために、発電システムにはサイクロコンバータが使用されてきた。一般に、サイクロコンバータを用いる電気系統はかなり堅い（低電源インピーダンス）上記サイクロコンバータのための交流電圧源を有する。したがって、上記サイクロコンバータのＳＣＲの整流の位相調整情報は、上記サイクロコンバータに設けられた三相交流電圧から直接誘導される。ＳＣＲの整流または切り替えによって誘導される転流ノッチを取り除くためには適切なフィルタリングが必要とされる。しかしながら、永久磁石発電機はその中にそれらが有効な直列リアクタンスを有するきわめてやわらかい交流電圧源を設ける。このことは永久磁石発電機を用いる発電システム内の上記サイクロコンバータのシリコン制御整流素子を制御するための二つの問題を示している。第１に、上記サイクロコンバータのＳＣＲの交換接続によって交流電圧波形は著しく乱されるため、フィルタリングは重要である。次に、永久磁石発電機のリアクタンスは、特に上記発電システムに負荷がかかっているため、上記永久磁石発電機のｂａｃｋ−ＥＭＦ電圧波形（計測可能）と上記永久磁石発電機の出力における交流電圧（端子電圧）との間の著しい位相シフトを導く。この負荷による位相シフトは単純フィルタでは取り除けない。
【００１０】
図１０に見られるように、１２０ＶＡＣ並列接続モード（１２０ＶＡＣモード）から２４０ＶＡＣ直列接続モード（２４０ＶＡＣモード）へ交換接続可能な二つの絶縁された１２０ＶＡＣ出力を有する発電機は、一般に多極開閉器を用いる。図１０を参照すると、発電システム１０００が二つの絶縁された１２０ＶＡＣ源、１００２・１００４を有するのが見られ、それらは下記に説明するサイクロコンバータ４２・４４のようなサイクロコンバータであってもよい。また、発電システム１０００は抵抗１００６として図示される１２０ＶＡＣおよび抵抗１００８として図示される２４０ＶＡＣ、ならびにＶＡＣ源１００２・１００４が並列接続される１２０ＶＡＣ並列接続モードとＶＡＣ源１００２・１００４が直列接続される２４０ＶＡＣ直列接続モードとの間で発電システム１０００を交換接続する開閉器１０１０を有する。
【００１１】
１２０ＶＡＣ源１００４の正出力１０１４は接地および１２０ＶＡＣ出力１００６の一側面に接続されている。１２０ＶＡＣ源１００４の負出力１０１８は１２０ＶＡＣ出力１００６の他の側面および２４０ＶＡＣ出力１００８の一側面に接続されている。下記に説明されるように、開閉器１０１０は、１２０ＶＡＣ源１００２・１００４を１２０ＶＡＣ並列接続モードと２４０／１２０ＶＡＣ直列接続モードとの間で交換接続するために１２０ＶＡＣ源１００２の正出力１０１２・１２０ＶＡＣ源１００２の負出力１０１６を交換接続する。
【００１２】
図１０に見られるように、開閉器１０１０は多極継電器のような多極開閉器である。並列接続１２０ＶＡＣモードにあるとき、開閉器１０１０およびそれぞれ開閉器１０１０に接続されているＶＡＣ源１００２、１００４の負出力１０１６、１０１８によって、１２０ＶＡＣ源１００２の正出力１０１２は１２０ＶＡＣ源１００４の正出力１０１４に、およびこのように接地に接合されている。１２０ＶＡＣは、並列接続された１２０ＶＡＣ源１００２・１００４によって１２０ＶＡＣ出力１００６に供給される。
【００１３】
２４０ＶＡＣ直列接続モードにあるとき、１２０ＶＡＣ源１００２の正出力１０１２は開閉器１０１０を通して２４０ＶＡＣ出力１００８の他の側面に接続され、２４０ＶＡＣ出力１００８の一側面は上述したように１２０ＶＡＣ源１００４の負出力１０１８に接続されている。１２０ＶＡＣ源１００２の負出力１０１６は開閉器１０１０を通して接地に接続されている。１２０ＶＡＣは１２０ＶＡＣ源１００４によって１２０ＶＡＣ出力１００６に供給され、２４０ＶＡＣは直列接続された１２０ＶＡＣ源１００２・１００４によって２４０ＶＡＣ出力１００８に供給される。
【００１４】
［発明の概要］
本発明の発電機は、第１の出力電圧が第１のモードで供給されかつ上記第１の出力電圧および第２の出力電圧が第２のモードで供給される少なくとも二つのモードのオペレーションを有する。上記第２の出力電圧は上記第１の出力電圧の２倍である。実施態様において、一般に第１の出力電圧は１２０ＶＡＣであり、第２の出力電圧は２４０ＶＡＣである。上記発電システムは、それぞれに三相交流電圧を生成する二つの独立した巻線のセットを備えた永久磁石発電機を有する。一つの三相交流電圧は、第１または親サイクロコンバータと結合しており、二つめの三相交流電圧は第２または従属サイクロコンバータと結合している。上記コンバータの非接地側出力は、継電器のような開閉器を通して互いに結合しており、上記コンバータの接地側出力は接地に接続されている。コントローラは上記サイクロコンバータが第１の電圧、例えば１２０ＶＡＣ、をそれらの各非接地側および接地側出力を通って供給するように制御する。１２０ＶＡＣモードのような第１のモードにあるとき、上記第１および第２のコンバータの各非接地側出力を通る上記開閉器は閉じており、上記第１および第２のコンバータの各非接地側出力をショートさせ、上記コントローラはそれらの非接地側出力が互いに一致するように上記第１および第２のコンバータを操作する。２４０／１２０ＶＡＣモードのような第２のモードにあるとき、上記第１および第２のコンバータの各非接地側出力を通る上記開閉器は開いており、上記コントローラはそれらの非接地側出力電圧の位相が１８０度異なるように上記第１および第２のコンバータを操作する。このことが第１および第２各コンバータの接地側出力および非接地側出力を横切り第１の電圧、例えば１２０ＶＡＣを供給し、かつ第１および第２各コンバータの非接地側出力を通って第２電圧、例えば２４０ＶＡＣを供給する。本発明の一態様において、上記開閉器は単極継電器のような単極開閉器である。
【００１５】
本発明の一態様において、上記サイクロコンバータは上記コントローラによって位相制御され、かつ自然に整流される。
【００１６】
本発明の一態様において、上記永久磁石発電機はそれが回転していると上記永久磁石発電機の回転子の位置を検出する回転子位置計測装置を有する。これらの回転子位置計測装置の出力は上記サイクロコンバータを制御するために用いる制御波形情報、例えば余弦波、を生成するためにそれらを用いる上記コントローラに入力される。
【００１７】
本発明の一態様において、上記サイクロコンバータは、シリコン制御整流素子（ＳＣＲｓ）のような自然に整流された各開閉機器の正バンクおよび負バンクを有する。本発明の一態様において、各ＳＣＲはＳＣＲおよび光ＳＣＲを有し上記光ＳＣＲが上記ＳＣＲのゲートに結合されＳＣＲを起動させるまたは制御するために用いられるＳＣＲ／光ＳＣＲの組合せを含む。
【００１８】
本発明の一態様において、各サイクロコンバータの正バンクおよび負バンクのＳＣＲｓを通る電圧は検出され、サイクロコンバータの各バンクがいつ真電流ゼロ状態にあるのかを決定するために用いられる。
【００１９】
本発明の一態様において、サイクロコンバータの正バンクから負バンクへの切り替えは、上記サイクロコンバータの瞬間電流のバンドパスフィルタによって開始される。およそ０の所定の範囲内を降下するようにバンドパスフィルタリングされた瞬間電流がおよそ０に移行すると、切り替えは開始される。
【００２０】
本発明の更なる応用可能な範囲は下記の詳細な説明によって明らかにされよう。詳細な説明および特定の例は、本発明の好ましい実施態様を示してはいるが、単に説明を目的としたものであり、本発明の範囲を限定することを意図してはいないことを理解されたい。
【００２１】
本発明は詳細な説明と付属図面からよりよく理解されるであろう。
【００２２】
［実施の形態］
（最良の形態の詳細な説明）
下記の好ましい実施態様の詳細な説明は、単なる好適な例であり、本発明、応用または使用を限定することを企図したものではない。
【００２３】
図１を参照すると、第１のモードと第２のモードとの間で交換接続可能な発電システム１０が概略的に示されている。第１のモードでは上記発電システム１０は第１の出力電圧を発生させ、第２のモードでは上記発電システム１０は二つの出力電圧、第１の出力電圧および上記第１の出力電圧の２倍である第２の出力電圧を発生させる。一実施態様において、第１の出力電圧は公称１２０ＶＡＣ、第２の出力電圧は２４０ＶＡＣであるので、別法として第１のモードは１２０ＶＡＣモードと、第２のモードは２４０／１２０ＶＡＣモードと呼ばれる。この実施態様においては、第１の出力電圧はそれがアメリカ合衆国でランプや動力工具のような軽器具および装置に使用される標準交流電圧であることを意味するよう公称１２０ＶＡＣであると呼ばれる。第２の出力電圧が公称２４０ＶＡＣと呼ばれるのは、１２０ＶＡＣの第１公称出力電圧の２倍だからである。
【００２４】
発電システム１０は発動機１２、例えば発電機１４を駆動させる内燃機関を有し、それは例をあげると永久磁石発電機でありまたここでは永久磁石発電機１４と呼ばれる。永久磁石発電機１４は永久磁石を備えた回転子１５および二つの独立したまたは絶縁された三相巻線のセット２００、２０２（図２）を備えた固定子を有する。また、永久磁石発電機１４は回転子位置計測装置１６・１８・２０、例えばホール効果変換器を含み、それは永久磁石発電機の回転子（図示しない）の位置を１２０電気角度毎に検出する。上記ホール効果変換器は、例をあげると発動機１２を始動させるブラシレスＤＣモータとしてそれを駆動可能にする永久磁石発電機の一部として設けられたホール効果変換器である。下記に説明するように、または２００２年６月６日出願の米国特許出願６０／３８６、９０４、「携帯用標準バッテリパックを用いる内燃機関発電機のための始動装置」に説明されているように、その開示はそれをそのまま参照することによって、この中に組み入れている。上記回転子位置計測装置１６・１８・２０の出力は、ディジタル信号処理専用プロセッサ（ＤＳＰ）２８のようなコントローラの入力に設けられる。
【００２５】
永久磁石発電機１４は、出力３０・３２・３４の第１のセットならびに出力３６、３８、および４０の第２のセットにおいて離間した二つの三相電圧を生成する。第１三相電圧が生成される上記出力３０・３２・３４は、第１（親）交流電圧変換器４２に結合され、出力３６・３８・４０の第２のセットは、第２（従属）サイクロコンバータ４４に結合されている。本発明の一態様において、交流電圧変換器４２・４４はサイクロコンバータであり、ここではサイクロコンバータと呼ばれる。各サイクロコンバータ４２・４４は、それに結合された各三相電圧を独立し絶縁された１２０ＶＡＣ６０ヘルツ電圧に各出力５６・５８で変換するために、ＤＳＰ２８によって制御される。マイクロコントローラのような、ディジタル信号処理専用プロセッサ以外のコントローラを使用することも可能であると理解されたい。また、ハードウェアを著しく変化させることなく、アメリカ合衆国外の市場のために他の電圧および周波数、たとえば１１５ＶＡＣおよび５０ヘルツを発生するように永久磁石発電機１４、ＤＳＰ２８、ならびにサイクロコンバータ４２・４４を構成することが可能であることも理解されたい。サイクロコンバータ４２、４４およびＤＳＰ２８によるそれらの制御については以下により詳細に説明する。また、一態様においては、ＤＳＰ２８はサイクロコンバータ４２・４４のそれぞれに設けられる。
【００２６】
開閉器４６、例えば単極継電器は、第１のサイクロコンバータ４２の非接地側出力４８およびサイクロコンバータ４４の非接地側出力５０を横切り結合される。第１のサイクロコンバータ４２および第２のサイクロコンバータ４４の接地側出力５２・５４は、接地に結合されている。第１のサイクロコンバータ４２の非接地側出力４８は、アウトレット５６の非接地側出力５５に結合され、第１のサイクロコンバータ４２の接地側出力５２は、アウトレット５６の接地側出力５７に結合されている。第２のサイクロコンバータ４４の非接地側出力５４は、アウトレット５８の非接地側出力５９に結合され、第２のサイクロコンバータ４４の接地側出力５０は、アウトレット５８の接地側出力６１に結合されている。
【００２７】
本発明の一態様において、この構成は、発電システム１０のための二つのモード、１２０ＶＡＣおよび２４０／１２０ＶＡＣのオペレーションを設けている。１２０ＶＡＣモードにあるとき、開閉器４６は閉じており、第１のサイクロコンバータ４２および第２のサイクロコンバータ４４の非接地側出力４８・５０は並列し、発電システム１０の出力５６・５８に２４０／１２０ＶＡＣモードに比べると多くの電流を供給する。２４０／１２０ＶＡＣモードにあるとき、第１のサイクロコンバータ４２および第２のサイクロコンバータ４４は、２４０ＶＡＣオペレーションの単一直列結合を可能にするために、上記サイクロコンバータ４２・４４によるそれらの非接地側出力４８・５０を通る電圧出力の位相が各接地側出力５２・５４に対し互いに１８０度異なるように、ＤＳＰ２８によって制御される。このことが発電システム１０の出力６０に２４０ＶＡＣを供給し、各出力５６・５８に１２０ＶＡＣを供給する。１２０ＶＡＣモードにあるとき、第１のサイクロコンバータ４２および第２のサイクロコンバータ４４は上記サイクロコンバータ４２・４４による電圧出力が互いに一致するように、ＤＳＰ２８によって制御される。第１のサイクロコンバータ４２および第２のサイクロコンバータ４４が互いに一致する電圧出力を有することにより、第１のサイクロコンバータ４２と第２のサイクロコンバータ４４との間に循環電流がないことが保証され、第１のサイクロコンバータ４２と第２のサイクロコンバータ４４それぞれの出力電圧が同じ振幅を有することを供給するそれらの間でのロードシェアが可能となる。１２０ＶＡＣモードでは、１２０ＶＡＣは第１のサイクロコンバータ４２と第２のサイクロコンバータ４４の出力４２・４４それぞれに供給され、アウトレット６０は開閉器４６によってショートする。このようにサイクロコンバータ４２・４４を操作することによって、開閉器４６は単極継電器のような単極開閉器となることができる。
【００２８】
１２０ＶＡＣモードでそれらが並列に結合されるときは一致し、２４０／１２０ＶＡＣモードでそれらが直列に結合されるときは位相が１８０度異なる二つの１２０ＶＡＣ源を操作するこの技術は、２００２年２月１５日出願の米国特許出願１０／０７７２１２９「デュアル Ｈブリッジ（Dual H-Bridge）を備えたオルタネータまたはコンバータ」および２００２年２月１５日出願の米国特許出願１０／１０／０７７３８６「デュアルＨブリッジおよび自動電圧調整を備えたオルタネータまたはコンバータ」で開示されたインバータ回路またはＨブリッジ回路のような（例を挙げるのが目的であり限定ではない）サイクロコンバータ以外の交流電力変換器を有する１２０ＶＡＣ源で使用可能であると理解されたい。これら二つの出願の開示はそれをそのまま参照することによって、この中に組み入れている。
【００２９】
図２は、簡略化された発電システム１０の全電力系統図である。上述したように、永久磁石発電機１４は、二つの独立した巻線のセット、巻線２００・２０２を有する。例をあげると、永久磁石発電機１４は公称１０６ＶＡＣＲＭＳ相電圧（中性点またはスターポイントに）を、軸および回転子に２４０ヘルツ電気(electrical)、および０．７ミリヘンリの相インダクタンスを有する。永久磁石発電機１４は記載出力値が異なるように構成することもできると理解されたい。三相巻線２００の上記巻線はＡ1、Ｂ1、およびＣ1として確認され、三相巻線２０２の上記巻線はＡ２、Ｂ２、およびＣ２として確認される。例をあげると、サイクロコンバータ４２は開閉機器の二つのバンク、正バンク２０４および負バンク２０６を有し、また、サイクロコンバータ４４は開閉機器の正バンク２０８および負バンク２１０を有する。本発明の一態様において、上記開閉機器はシリコン制御整流素子のような自然に整流される開閉機器である。しかしながら、他の種類の自然に整流される開閉機器を用いることもできると理解されたい。例をあげると、各バンク２０４、２０６、２０８、・２１０は六つのシリコン制御整流素子を有する。第１コンバータ４２および第２のコンバータ４４の正バンクおよび負バンク２０４・２０６・２０８・２１０はそれぞれ非循環電流６パルスシステムを形成する。非循環は各サイクロコンバータ４２・４４の正バンクおよび負バンクが同時に導通しないオペレーションモードに関係する。それは、サイクロコンバータ４２・４４からの電流が正であり上記サイクロコンバータ４２・４４の正バンク２０４・２０８のみがそれぞれ導通しているときならびに各サイクロコンバータ４２・４４からの電流が負であり上記サイクロコンバータ４２・４４の負バンク２０６・２１０のみがそれぞれ導通しているときである。このようにサイクロコンバータ４２の正バンク２０４および負バンク２０６は、それらが同時に導通しないように操作され、またサイクロコンバータ４４の正バンク２０８および負バンク２１０もそれらが同時に導通しないように操作される。
【００３０】
サイクロコンバータ４２・４４は、抵抗２１６・２１８として典型的に図示された、それらの各１２０ＶＡＣ出力を横切り結合された出力フィルタコンデンサ２１２・２１４をそれぞれ有する。前記２４０ＶＡＣ出力は、抵抗２２０として典型的に図示されている。例をあげると、フィルタコンデンサ２１２・２１４はマイクロファラッドコンデンサであり、永久磁石発電機１４が上記に参照した記載出力値を有するときサイクロコンバータ４２・４４の１２０ＶＡＣ出力２１６・２１８はそれぞれ３．６キロワットの容量を有する。
【００３１】
発電システム１０が１２ＶＡＣモードにあるとき、ＤＳＰ２８はそれらの出力が一致するようにサイクロコンバータ４２・４４を制御し、発電システム１０が２４０／１２０ＶＡＣモードにあるときは、それらの出力の位相が１８０度異なるようにサイクロコンバータ４２・４４は制御される。サイクロコンバータ４２のオペレーションだけだとこのように説明される。この点において、サイクロコンバータ４２の正バンク２０４のシリコン制御整流素子はＡＴ＋、ＢＴ＋、ＣＴ＋、ＡＢ＋、ＢＢ＋、およびＣＢ＋とされている。サイクロコンバータ４２の負バンク２０４のシリコン制御整流素子はＡＴ−、ＢＴ−、ＣＴ−、ＡＢ−、ＢＢ−、およびＣＢ−とされている。
【００３２】
図２および図３を参照して、サイクロコンバータ４２の制御を説明する。サイクロコンバータ４２はＤＳＰ２８によって従来の余弦制御を用いて制御される。ＤＳＰ２８の入力は巻線Ａ１・Ｂ１・Ｃ１の三相電気出力３０・３２・３４、永久磁石発電機１４の巻線Ａ１・Ｂ１・Ｃ１のｂａｃｋ−ＥＭＦ電圧波形、フィルタコンデンサ２１２および１２０ＶＡＣ出力２１６への出力としてのサイクロコンバータ４２の出力交流電圧および電流、ならびにインピーダンスおよび力率に関する負荷である。永久磁石発電機１４のｂａｃｋ−ＥＭＦ電圧波形は実際には測定不可能なため、本発明の一態様においては、ｂａｃｋ−ＥＭＦ電圧波形をシミュレートし下記により詳細に説明されるようにサイクロコンバータ４２の正バンクおよび負バンクのシリコン制御整流素子を点孤制御するための制御波形情報（例えば余弦波）を発現させるためにＤＳＰ２８によって回転子位置計測装置１６・１８・２０の信号が用いられる。ここでは、波形および波という用語は交換可能に用いられる。また、波はアナログ信号のみならず上記波を表ディジタル信号であってもよいと理解されたい。
【００３３】
各ＳＣＲはターンオンの瞬間（turn-on instant）によって制御されるが、ターンオフは第１ＳＣＲを逆バイアスされる他のＳＣＲをオンにすること、つまり自然転流として知られる処理によって制御される。正バンク２０４のＳＣＲはＳＣＲのＡＴ−、ＢＴ−、ＣＴ−、ＡＴ＋、ＢＴ＋、およびＣＴ＋からの出力電流が正であるときにのみオンになる。図３のタイミング線図を参照すると、ＡＴ＋、ＢＴ＋、およびＣＴ＋とされている三つのＳＣＲは連続するシークエンス(continuing sequence)（ＡＴ＋、ＢＴ＋、ＣＴ＋および再度ＡＴ＋からシークエンスを始める）において、サイクロコンバータ４２のＳＣＲのＡＴ−、ＢＴ−、ＣＴ−、ＡＴ＋、ＢＴ＋、およびＣＴ＋が正である限りＤＳＰ２８で実行される３ビット環状計数器によって焼成（fire）される。また、ＡＢ＋、ＢＢ＋、およびＣＢ＋とされている三つのＳＣＲも持続性のシークエンス(perpetual sequence)において、サイクロコンバータ４２のＳＣＲのＡＴ−、ＢＴ−、ＣＴ−、ＡＴ＋、ＢＴ＋、およびＣＴ＋が正である限りＤＳＰ２８で実行される第２３ビット環状計数器によって焼成される。ＤＳＰ２８で実行される二つの第２３ビット環状計数器を順序制御する移行は、両方ＤＳＰ２８で生成される基準電圧波３００（ＡＴ＋、ＢＴ＋、およびＣＴ＋）および基準電圧波３００の逆基準電圧波３０２（ＡＢ＋、ＢＢ＋、およびＣＢ＋）と永久磁石発電機１４の巻線Ａ１・Ｂ１・Ｃ１のｂａｃｋ−ＥＭＦ電圧の対応する余弦波とを比較する比較項目である。見やすいように、図３は、ＡＴ＋を制御するために用いられる余弦波３０４、それは巻線Ａ１電圧（つまり反転されたＢ１電圧）の余弦波であるが、の完全な周期ならびにＢＴ＋およびＣＴ＋を制御するために用いられる余弦波３０６・３０８の部分的な周期のみを示す。図３に見られるように、正バンク２０４が動作可能にされると、余弦波３０４が基準電圧波３００に関して正になったときＡＴ＋は起動される。それから、余弦波３０６が基準電圧波３００に関して正になったときＢＴ＋は起動される。電源を入れるＢＴ＋は、その電源を切り、ＡＴ＋を逆バイアスさせる。それから同様に、余弦波３０８が基準電圧波３００に関して正になったときＣＴ＋は起動され、その電源を切りＢＴ＋を逆バイアスさせる。ＡＢ＋、ＢＢ＋、およびＣＢ＋は比較可能に制御される。サイクロコンバータ４２のＳＣＲのＡＴ−、ＢＴ−、ＣＴ−、ＡＴ＋、ＢＴ＋、およびＣＴ＋からの出力電流が正である永久磁石発電機１４の一電気周期のためのターンオン順序(turn-on sequence)は、ＡＴ＋、ＣＢ＋、ＢＴ＋、ＡＢ＋、ＣＴ＋およびＢＢ＋である。この点において、ＡＴ＋、ＢＴ＋、およびＣＴ＋はそれぞれ次のＡＴ＋、ＢＴ＋、およびＣＴ＋がオンになることによって逆バイアスするまでオンのままである。各ＡＢ＋、ＢＢ＋、およびＣＢ＋は同様にそれぞれ次のＡＢ＋、ＢＢ＋、およびＣＢ＋がオンになることによって逆バイアスするまでオンのままである。したがって、正バンク２０４が動作可能であるとき、ＡＴ＋、ＢＴ＋、およびＣＴ＋のうちの一つとＡＢ＋、ＢＢ＋、およびＣＢ＋のうちの一つとは常に同時にオンである。
【００３４】
サイクロコンバータ４２の負バンク２０６は同様の配列で制御される。サイクロコンバータ４２のＳＣＲのＡＴ−、ＢＴ−、ＣＴ−、ＡＴ＋、ＢＴ＋、およびＣＴ＋からの出力電流が負でありさえすれば、負バンク２０６のＳＣＲはオンになる。サイクロコンバータ４２のＳＣＲのＡＴ−、ＢＴ−、ＣＴ−、ＡＴ＋、ＢＴ＋、およびＣＴ＋からの出力電流が正である一電気周期のためのターンオン順序は、ＡＴ−、ＣＢ−、ＢＴ−、ＡＢ−、ＣＴ−およびＢＢ−である。
【００３５】
例をあげると、コンパレータは、ＤＳＰ２８において実行される３ビット環状計数器とともに、余弦波３０４・３０６・３０８のような余弦波のための余弦波情報と基準電圧波のための基準電圧波情報３００・３０２とを比較するＤＳＰ２８において実行され、サイクロコンバータ４２の正バンクおよび負バンクを上記のように制御する。また、サイクロコンバータ４２の比較可能な制御もＤＳＰ２８において実行される。
【００３６】
上述のように、回転子位置計測装置１６・１８・２０からの信号は、ｂａｃｋ−ＥＭＦ電圧波形をシミュレートし、サイクロコンバータ４２の正バンク２０４および負バンク２０６、また、ならびにサイクロコンバータ４４の正バンク２０８および負バンク２１０のＳＣＲの点孤制御のための余弦波情報を発現させるために、ＤＳＰ２８によって用いられる。低速度、高トルクアプリケーション（下記に説明する本発明の一態様において発電システム１０の発動機１２を始動するために用いられる）のための典型的なブラシレスＤＣモータ駆動には、回転子の位置を検出するため上記モータのなかに設置された三つのホール効果変換器が必要である。これらのホール効果変換器は、上記モータの三相励磁のための位相関係を供給するオンオフ論理信号（on/off logic signal）を供給する。普通は、各ホール効果変換器は０電気角度、例えば、logic０から１への移行など、および１８０電気角度でモータの移行、例えば、logic1から０を各三相ライン電圧に供給する。したがって、三つの上記ホール効果変換器が永久磁石発電機１４の回転子の回転１回につき六つの移行を供給するように、各ホール効果変換器の出力は他の二つのホール効果変換器の出力から１２０度ずれている。
【００３７】
ホール効果変換器によって生成される信号は、例をあげると回転子位置計測装置１６・１８・２０であるが、永久磁石発電機１４が発動機１２によって駆動されるとき永久磁石発電機１４の出力電力の整相を直接表すことができる。回転子位置計測装置１６・１８・２０は下記においてホール効果変換器１６・１８・２０とよばれることもある。さらに重要なことに、ホール効果変換器１６・１８・２０によって生成される信号は永久磁石発電機１４のｂａｃｋ−ＥＭＦ電圧整相を表しており、この情報はサイクロコンバータ４２・４４におけるＳＣＲの転流を制御するために用いられる。このようにホール効果変換器１６・１８・２０を用いることによって、永久磁石発電機１４の端子電圧情報（出力３０・３２・３４・３６・３８・４０における電圧）を用いてゼロ位相シフトをフィルタリングする必要がなくなり、また永久磁石発電機１４の実際の端子電圧からｂａｃｋ−ＥＭＦ電圧を算定（すなわち負荷電流および内部リアクタンスによって起こる永久磁石発電機１４の内部位相シフトの算定）する必要もなくなる。さらに、例をあげると、ホール効果変換器１６・１８・２０は発動機１２を始動させるために用いられるホール効果変換器であるため、永久磁石発電機１４を駆動するためにブラシレスＤＣモータを用いるとき他のホール効果変換器を追加する必要がない。
【００３８】
図６を参照し、例えばサイクロコンバータ４２・４４のＳＣＲの転流の制御に用いられる前記余弦波情報を発現させるためにＤＳＰ２８に用いられている論理を説明する。各ホール効果変換器１６・１８・２０の周期は周期（ホール周期（Hall period））を設定するために（立ち上がりエッジのみを用いて）６００・６０２・６０４で測定される。このホール周期は、ホール効果変換器１６・１８・２０の各立ち上がりエッジで更新される。６０６において上記ホール周期は、タイマがホール周期ごとに８４のオーバーフローを有するよう、すなわちホール周期ごとに８４回オーバーフローするように、上記タイマのための周期を設定するために８４で分割される。６０８において、各タイマオーバーフローは上記タイマをゼロに復帰させ、計数器（ホール周期計数器）を１ずつインクリメントさせる。
【００３９】
それからホール周期計数器の値、ホール周期計数器および２８のオフセットの値（１２０電気角度）、ならびにホール周期計数器および５６のオフセットの値（２４０電気角度）は、８４の項目を有する正弦波参照テーブルのポインタとして用いられる。これらのポインタによって示された正弦波参照テーブルの三つの項目は、上記正弦波参照テーブルから、６１６および６１８でこれら三つの値がサイクロコンバータ４２・４４のＳＣＲの転流を制御するために基準電圧波３００のような基準電圧波と比較される余弦値となることが読み取られる。
【００４０】
図４を参照し、バンクの選択および本発明の一態様による転換制御を説明する。上述のように、各サイクロコンバータ４２・４４のために、その正バンク２０４・２０８または負バンク２０６・２１０のみが常にオンであることができる。
【００４１】
サイクロコンバータ４２の出力２１６における出力電圧が６０ヘルツの周波数を有する正弦波であると仮定すれば、正バンク２０４および負バンク２０６はそれぞれ６０ヘルツ周期の２分の１周期の間オンである。ＳＣＲのＡＴ−、ＢＴ−、ＣＴ−、ＡＴ、ＢＴ、およびＣＴからの出力電流の極性によって、正バンク２０４または負バンク２０６のどちらが導通しているかが決定され、それはこの議論の目的のために同じ６０ヘルツにあるが負荷に従属する力率を備えると仮定される。
【００４２】
正バンク２０４および負バンク２０６の選択（すなわちＳＣＲが起動し導通できるようどちらを動作可能にし、ＳＣＲが起動し導通できないようにどちらを動作不可能にするか）は、サイクロコンバータ４２のフィルタコンデンサ２１２および出力２１６への測定された瞬時出力電流から決定される。この瞬間電流は、電流リップルを取り除き、バンドパスフィルタ４００による信号出力の６０ヘルツ基本成分は瞬時出力電流に関していかなる位相シフトも有しないということを保証するために例えばバンドパスフィルタ４００によってフィルタリングされる。例をあげると、バンドパスフィルタ４００は２のＱを有する２極６０ヘルツバンドパスフィルタである。バンドパスフィルタ４００からのフィルタ処理された電流信号出力は、それからコンパレータ４０２に入力される。例をあげると、コンパレータ４０２はたとえば負ヒステリシスを有し＋０、１Ａまたは−０、１Ａのスイッチングレベルを備えたヒステリシスコンパレータである。コンパレータ４０２の出力は、基本６０ヘルツ電流がコンデンサ２１２をフィルタリングするかどうかおよびサイクロコンバータ４２の出力２１６が正か負かを決定する。コンパレータ４０２は、バンドパスフィルタ４００によってフィルタ処理された電流信号出力が＋０、１Ａ以下に下がったとき正から負に切り換わり、バンドパスフィルタ４００によってフィルタ処理された電流信号出力が−０、１Ａ以上に上がったとき負から正に切り換わる。コンパレータ４０２が正から負に切り換わったとき、ＤＳＰ２８はサイクロコンバータ４２の正バンク２０４を動作不可能にし、実際の出力電力ゼロが検出された後の１００マイクロ秒後にサイクロコンバータ４２の負バンク２０６を動作可能にする。このように、正バンク２０４においてそれ以上のトリガーパルスはＳＣＲのゲート端子に供給されない。しかしながら、この移行が起こったときには導通している上記正バンク２０４のＳＣＲは真電流がゼロになるまで導通したままである。この時点で、それらは逆バイアスされ、オフとなる。逆に、コンパレータ４０２が負から正に切り換わったとき、ＤＳＰ２８はサイクロコンバータ４２の負バンク２０６を動作不可能にし、実際の出力電力ゼロが検出された後の１００マイクロ秒の遅延の後に正バンク２０４を動作可能にする。正バンク２０４と同様に、この移行が起こったときには導通している負バンク２０６のＳＣＲは真電流がゼロになるまで導通したままであり、この時点でそれらは逆バイアスされ、オフとなる。
【００４３】
真電流ゼロ状態はコンパレータ４０４によって検出されることになっている。例をあげると、コンパレータ４０４は、いつ実際の出力電流（フィルタ処理された基本電流(fundamental current ) でなく）が＋または−２５ｍＡのウィンドウ内に下がるかを決定する２ウィンドウコンパレータ（two-window comparator）である。例をあげると、コンパレータ４０４はＡＮＤゲート４１０の入力に結合されたそれらの出力を有する第１のコンパレータ４０６および第２のコンパレータ４０８を有する。コンパレータ４０６の正入力は＋２５ｍＡ基準に結合され、コンパレータ４０８の負入力は−２５ｍＡ基準に結合されている。フィルタコンデンサ２１２への電流出力およびサイクロコンバータの出力２１６はコンパレータ４０６の負入力およびコンパレータ４０８の正入力に結合されている。上記出力電流が＋または−２５ｍＡのウィンドウ内に下がったとき、コンパレータ４０６およびコンパレータ４０８両方の上記出力は正であり、ＡＮＤゲート４１０の出力は正になり真電流ゼロを示すことになる。下記に説明する本発明の一態様において、真電流ゼロ状態はサイクロコンバータ４２・４４のＳＣＲを通る電圧を検出することによって間接的に検出される。
【００４４】
一旦この真電流ゼロ状態が検出されると、現在導通しているＳＣＲがオフにする十分な時間があることを保証するために、たとえば１００マイクロ秒の遅延が課せられる。この遅延の後、正バンク２０４から負バンク２０６への（逆もまた同様）切り替えが起こる。
【００４５】
上記のバンク切り替え制御論理はたとえばＤＳＰ２８で実行されると理解されたい。しかしながら、また、上記のバンク切り替え制御のすべてまたは一部は、下記に説明するように、間接的に真電流ゼロ状態を決定する電圧検出回路８００を用いるなど、個別部品を用いて行われることも可能であると理解されたい。
【００４６】
発電システムのための上記出力電圧は、それが用いられる国で所望される電圧および周波数、たとえばアメリカ合衆国では１２０ＶＡＣ、６０ヘルツを有する正弦波形である。この波形と等価なもの、たとえば図３の波状曲線３００・３０２がサイクロコンバータ４２（およびサイクロコンバータ４４）のＳＣＲの制御に用いられる。しかしながら、発電システム１０（図１）によって生成される電圧は永久磁石発電機１４の回転子が回転する速度に直接比例しており、永久磁石発電機１４にかかる負荷が永久磁石発電機１４の相リアクタンスを通る電圧降下を招くため、いくつかの形態の出力電圧制御が必要である。
【００４７】
図５は、ＤＳＰ２８で実行される実例となる電圧制御を示している。発電システム１０の瞬時出力電圧（Ｖｏｕｔ）は測定され、ＤＳＰ２８に入力される。それから適切に測定された後、Ｖｏｕｔの絶対値はフィルタリングされ、比例するフィードバックループにおいてフィードバック条件（feedback term）として用いられる。Ｖｏｕｔの絶対値をフィルタリングするフィルタはたとえば、３、２ヘルツの遮断周波数および０．２５のＱを有する２極低域通過フィルタである。このフィルタの出力は、６０ヘルツまたは１２０ヘルツの成分を取り除いたＶｏｕｔの絶対値の平均値である。例をあげると、１．０の値が１２０ＶＡＣ ＲＭＳの正弦波交流出力電圧に対応するように、このフィルタの出力を測定するために用いられる倍率は０、００９２６である。
【００４８】
フィードバックループの入力基準、Ｖｒｅｆは、ＤＳＰ２８によって生成される基準電圧波の平均値であり、基準電圧波３００は１２０ＶＡＣ６０ヘルツ正弦波に対応するのだが、それと同様に１．０の値を代入される。比例するフィードバックループの出力（Ｖｃ）は、余弦波３０４・３０６・３０８（図３）のようなＳＣＲ点弧制御のための余弦波の有効な規模を直接制御するために用いられる。用いられた比例増幅率は１６であり、１．０のＶｃにおける比例出力は、サイクロコンバータ４２・４４の出力において最大の出力電圧を発生させる。２．０のＶｃにおける比例出力値は、サイクロコンバータ４２の出力において最大の出力電圧を半分発生させる。したがって、図５の比例するフィードバックループは、サイクロコンバータ４２の上記出力電圧が１２０ＶＡＣ以下に下がると図５の比例するフィードバックループの比例する増幅段の出力が減少し、サイクロコンバータ４２の出力電圧を増加させ、発電システム１０に出力電圧制御を供給するように配置される。同程度の制御がサイクロコンバータ４４に供給される。
【００４９】
図１および図２を参照すると、先に述べたように、開閉器４６はたとえば継電器であり、開閉器６２によって発電システム１０の前面パネル（図示しない）で制御される。開閉器６２は、たとえば、逆に開閉器４６を制御するＤＳＰ２８に入力信号を供給する。
【００５０】
サイクロコンバータ４２・４４を直列または並列で操作することは、特にいかなる問題も提起してはいない。しかしながら、直列と並列操作との間での移行では時間的管理に注意しなくてはならない。
【００５１】
ＤＳＰ２８は発電システム１０の直列（２４０／１２０ＶＡＣ）と並列（１２０ＶＡＣ）操作との間での移行を制御する。発電システム１０を直列（２４０／１２０ＶＡＣ）操作から並列（１２０ＶＡＣ）操作へ切り替えるために開閉器６２を入れたとき、第１のサイクロコンバータ４２・第２のサイクロコンバータ４４のうち一つの出力が動作不可能にされる。すなわち、そのすべてのＳＣＲがもはやオンではない。適切な遅延、たとえば３、５電気６０ヘルツまたは５０ヘルツ周期の後、そのサイクロコンバータ４２・４４は他のサイクロコンバータ４２・４４の出力電圧と一致して再び動作を可能にされる。それから開閉器６４が閉じる。
【００５２】
並列（１２０ＶＡＣ）から直列（２４０／１２０ＶＡＣ）操作への移行はＤＳＰ２８によって同様の方法で制御される。発電システム１０を並列から直列操作へ切り替えるために開閉器６２を入れたとき、開閉器４６は即座に開く。第１のサイクロコンバータ４２および第２のサイクロコンバータ４４の出力は両方動作不可能にされる。それらのすべてのＳＣＲがもはやオンではない。適切な遅延、たとえば３．５電気６０ヘルツまたは５０ヘルツ周期の後、第１のサイクロコンバータ４２および第２のサイクロコンバータ４４はそれらの出力電圧間に１８０度の位相シフトを有し再び動作を可能にされる。
【００５３】
本発明の一実施態様において、高速相互絶縁連続通信リンク（high speed 2-way isolated serial communication link）を介して相互連結された二つのＤＳＰ２８とともに、第１のサイクロコンバータ４２と第２のサイクロコンバータ４４との間の制御を操作するために、ＤＳＰ２８はサイクロコンバータ４２を制御するために設けられ、第２のＤＳＰ２８はサイクロコンバータ４４を制御するために設けられる。例をあげると、第１のサイクロコンバータ４２のためのＤＳＰ２８は６０ヘルツ出力波形の第２のサイクロコンバータ４４のためのＤＳＰ２８への移行を決定し、かつ第１のサイクロコンバータ４２と第２のサイクロコンバータ４４とを同調させるために第２のサイクロコンバータ４４のためのＤＳＰ２８に出力電圧および電流測定情報を供給する。各ＤＳＰはテキサス、ダラスのテキサスインストゥルメント有限会社（Texas Instrument, Inc.）で入手可能なＴＭＳ３２０ＬＣ２４０２Ａであってもよい。
【００５４】
本発明の一態様において、各サイクロコンバータ４２・４４の上記出力における真瞬間電流ゼロ状態は、各サイクロコンバータ４２・４４による上記サイクロコンバータ４２・４４の第１および第２の出力への三相電圧出力のモニタリングによって間接的に検出されてもよい。このことは各サイクロコンバータ４２・４４の両方において完全に同じように行われるため、サイクロコンバータ４２に関して説明する。永久磁石発電機１４の上記出力３０、出力３２、および出力３４からサイクロコンバータ４２の非接地側出力４８および接地側出力５２への電圧は、サイクロコンバータ４２の正バンク２０４および負バンク２０６の各ＳＣＲを通る電圧を検出することによって検出される。サイクロコンバータ４２のＳＣＲのいずれかを通る電圧が±８から９ボルトのような特定の絶対値よりも低いとき、これはＳＣＲが導通しており、そのＳＣＲを一部とする上記サイクロコンバータの出力電力がゼロではないことを意味する。サイクロコンバータ４２のすべてのＳＣＲを通る＋８から＋９以上または−８から−９以下のボルトがあるとき、それはサイクロコンバータ４２のすべてのＳＣＲが遮断されており、サイクロコンバータ４２の上記出力がゼロ電流状態にあることを意味する。このゼロ電流状態はディジタル信号に加工され、上記で説明したバンク切り替え制御のためにそれを用いるＤＳＰ２８に入力される。図８は、サイクロコンバータ４２の上記ＳＣＲを通る電圧を検出する電圧検出回路８００の概略図である。電圧検出回路８００は、サイクロコンバータ４２の正バンク２０４および負バンク２０６のＡＴ＋、ＡＴ−、ＢＴ＋、ＢＴ−、ＣＴ＋、およびＣＴ−とされているＳＣＲを通る電圧を検出する電圧検出回路８０２ならびにサイクロコンバータ４２の正バンク２０４および負バンク２０６のＡＢ＋、ＡＢ−、ＢＢ＋、ＢＢ−、ＣＢ＋、およびＣＢ−とされているＳＣＲを通る電圧を検出する電圧検出回路８０４を含む。
【００５５】
本発明の一態様において、サイクロコンバータ４２の正バンク２０４および負バンク２０６の上記ＳＣＲは、例をあげると、ＳＣＲ／光ＳＣＲの組合せである。図７を参照すると、ＡＴ＋とされているサイクロコンバータ４２の正バンク２０４の上記ＳＣＲのためのＳＣＲ／光ＳＣＲの組合せ７００が見られる。ＳＣＲ／光ＳＣＲの組合せ７００は、永久磁石発電機１４の出力３０（図１）に結合されたその陽極およびサイクロコンバータ４２の出力４８（図１）に結合されたその陰極を有するＳＣＲ７０２を有する。ＳＣＲ７０２のゲートは光ＳＣＲ７０４の上記陰極に結合されている。光ＳＣＲ７０４の陽極は抵抗器７０６を通してＳＣＲ７０２の上記陽極に結合されている。光ＳＣＲ７０４のゲート発光ダイオード（gate light emitting diode）７０８はＤＳＰ２８の出力に結合されている。ＳＣＲ７０２は、例をあげると、テキサス、アーヴィングのテッコー・エレクトロニクス（Teccor Electronics of Irving）から入手可能なＳ６０１６Ｒであり、光ＳＣＲ７０４は、例をあげると、カリフォルニア、アーヴィンの東芝アメリカエレクトロニクスコンポーネンツ（Toshiba America Electronics Components, Inc. of Irvine）から入手可能なＴＬＰ７４１Ｊである。
【００５６】
図９は、上記で参照した米国特許出願６０／０７７２１９「携帯用の標準バッテリパックを用いた携帯用内燃機関発電機のための起動システム」に説明されたものと同様、発動機１２を始動させるために永久磁石発電機１４を駆動するようブラシレスＤＣモータ駆動回路９００が発電システム１０（図１）と組合せて用いられる、本発明の一態様の構成概略図である。回路９００は、ブラシレスＤＣ／永久磁石発電機（ＢＬＤＣ／ＰＭＧ）始動制御９０２を内蔵する交流三相インバータへの低電圧ＤＣであり、バッテリ、たとえばDEWALT XR PLUS（Extended Run Time）標準バッテリパック取扱品の標準バッテリパックのような標準バッテリパック９０３によって直接電力を供給される。ＤＣ駆動回路９００は、３極リレースイッチ９０６を通して永久磁石発電機１４に電気的接続可能な配電台（power stage）９０４を含む。配電台９０４は、直流母線またはレール９１０・９１２を通して結合された六つのまったく同じ電気開閉機器９０８ａ−９０８ｆを含む。電気開閉機器９０８ａ・９０８ｂは、継電器９０６の一つの極と電機的接続されたセンターノード９１４を有する母線９１０・９１２との間で直列に結合されている。電気開閉機器９０８ｃおよび９０８ｄは、継電器９０６の第２の極と電機的接続されたセンターノード９１６を有する母線９１０・９１２との間で直列に結合されている。同様に、電気開閉機器９０８ｅおよび９０８ｆは、継電器９０６の第３の極と電機的接続されたセンターノード９１８を有する母線９１０と母線９１２との間で直列に結合されている。六つの２極管９２０ａ−９２０ｆは、母線９１０と母線９１２との間で、開閉機器９０８ａ‐９０８ｆとそれぞれに並列に結合されている。開閉機器９０８ａ‐９０８ｆは、たとえば電界効果トランジスタ（FET‘s）、絶縁ゲートバイポーラトランジスタ（IGBTs）、または金属酸化シリコン電界効果トランジスタ（MOSFET’s）のような適応するさまざまなパワースイッチング部品を備えていてもよい。
【００５７】
永久磁石発電機１４のホール効果変換器１６・１８・２０は、ＢＬＤＣ／ＰＭＧスターターコントロール９０２の入力に結合されている。さらに、ＤＣ駆動回路２５０は、標準バッテリパック９０３からＢＬＤＣ／ＰＭＧスターターコントロール９０２への電流の流れを制御する瞬時始動開閉器９２２を含む。
【００５８】
操業中、発動機１２は、はじめ停止している。発動機１２は使用者が瞬時始動開閉器９２２を閉じると始動される。それからＢＬＤＣ／ＰＭＧスターターコントロール９０２は標準バッテリパック９０３によって加圧される。ホール効果変換器１６・１８・２０が発動機１２の速度または永久磁石発電機１４の速度が規定値、たとえば５００ｒｐｍ以下であることを示すとき、３極リレースイッチ９０６はＢＬＤＣ／ＰＭＧスターターコントロール９０２によって加圧され、その結果三相配電台 ９０４を永久磁石発電機１４に結合する。ホール効果変換器１６・１８・２０からの情報を用いて、ＢＬＤＣ／ＰＭＧスターターコントロール９０２は、永久磁石発電機１４内で三相巻線（またはそのようなネジ穴ワインディング）の第１セットの電子的整流を用いて発動機１２にトルクを供給するために開閉機器９０８ａ‐９０８ｆをオンにしたりオフにしたりする。発動機１２は、ＢＬＤＣ／ＰＭＧスターターコントロール９０２の制御下で配電台 ９０４によって「モータモード」でモータとして駆動される永久磁石発電機１４によって発動機１２を発動機１２が始動する速度まで加速させる。一旦発動機１２が始動すると、永久磁石発電機１４は規定の最大速度、たとえば５００ｒｐｍ、を超えて駆動され、３極リレースイッチ９０６はＢＬＤＣ／ＰＭＧスターターコントロール９０２によって電源を切られ、その結果配電台 ９０４を永久磁石発電機１４から切断する。切断されている配電台９０４は、標準バッテリパック９０３のオーバードライブおよび開閉機器９０８ａ‐９０８ｆに過剰な電圧が供給されることを避ける。一旦始動オペレーションが完了すると、瞬時始動開閉器９２２が開かれ、ＢＬＤＣ／ＰＭＧスターターコントロール９０２は開閉機器９０８ａ‐９０８ｆをオンにしたりオフにしたりするのを中止する。
【００５９】
ＢＬＤＣ／ＰＭＧスターターコントロール９０２は、電子回路を単純化し、さらなる制御特長を供給するためにマイクプロセッサをベースにしてもよい。さらなる制御特長は、瞬時始動開閉器９２２があまりにも長く閉じられている場合または標準バッテリパック９０３が発動機１２を始動させるのに十分な電圧を有せず始動できない場合に損傷を避けるための最大クランキング時間、たとえば５秒、の設定を含んでいてもよい。ＢＬＤＣ／ＰＭＧスターターコントロール９０２に基づいたマイクロプロセッサによって供給されるさらなる制御特長は、標準バッテリパック９０３および配電台９０４のオーバードライブと、最小速度以上の開閉機器９０８ａ‐９０８ｆのパルス幅変調制御の使用による標準バッテリパック９０３の電圧を無視した永久磁石発電機１４の最大始動速度の設定とを避けるための速度検出および３極リレースイッチ９０６の制御を含む。
【００６０】
本発明の説明は単に事実上好例となるものである。したがって本発明の要旨から離れない変形例は発明の範囲内にあるものと企図される。そのような変形例は本発明の趣旨および範囲を離れたものとはみなされない。
【図面の簡単な説明】
【００６１】
【図１】本発明の発電システムの概略構成を示す図である。
【図２】上記発電システムの概略電力系統を示す図である。
【図３】上記発電システムのサイクロコンバータ制御のためのタイミング線を示す図である。
【図４】上記発電システムのサイクロコンバータの正バンクと負バンクとの間での切り替えを開始するための論理回路（circuit logic）の概略構成を示す図である。
【図５】上記発電システムの電圧制御のための論理回路の概略構成を示す図である。
【図６】上記発電システムの永久磁石発電機の回転子位置計測装置の出力からの余弦波情報の発現を示すフロー図である。
【図７】上記発電システムのサイクロコンバータで用いられるＳＣＲと光ＳＣＲとの組合せの概略構成を示す図である。
【図８】上記発電システムのサイクロコンバータのＳＣＲを通る電圧を検出する電圧検出回路の概略を示す図である。
【図９】上記発電システムを始動させる際に使用されうるＤＣモータ駆動回路の概略構成を示す図である。
【図１０】二つの１２０ＶＡＣ源を並列結合モードと、直列結合モードとの間で交換接続するための先行技術における多極開閉機器の概略構成を示す図である。
【図１】
2006517377.tif 000003
【図２】
2006517377.tif 000004
【図３】
2006517377.tif 000005
【図４】
2006517377.tif 000006
【図５】
2006517377.tif 000007
【図６】
2006517377.tif 000008
【図７】
2006517377.tif 000009
【図８】
2006517377.tif 000010
【図９】
2006517377.tif 000011
【図１０】
2006517377.tif 000012
【手続補正書】
【提出日】平成18年4月4日(2006.4.4)
【手続補正１】
【補正対象書類名】特許請求の範囲
【補正対象項目名】全文
【補正方法】変更
【補正の内容】
【特許請求の範囲】
【請求項１】
第１および第２のモードを少なくとも有し、発電システムが第１のモードにあるときは第１の交流出力電圧を発生させ、第２のモードにあるときは上記第１の交流出力電圧および第２の交流出力電圧を発生させる発電システムであって、
上記第１の出力電圧を発生させる出力をそれぞれに有する第１および第２の電圧源と、開閉器が第１の位置にあるときは、第１および第２の電圧源の第１および第２の出力を並列に結合し、第２の位置にあるときは直列に結合して、上記開閉器が第１の位置にあるときは、上記第１および第２の電圧源の出力により上記第１の出力電圧が発生され、第２の位置にあるときは上記第１および第２の電圧源の出力に結合された組を通って第２の出力電圧が発生されて、また上記第１および第２の電圧源の出力により上記第１の出力電圧も発生される開閉器とを備えた発電システム。
【請求項２】
第１および第２の電圧源の出力が並列に結合されたとき上記第１の出力電圧によって得られる電流が、第１および第２の電圧源の出力が直列に結合されたとき上記第１の出力電圧によって得られる電流より多い請求項１に記載の発電システム。
【請求項３】
上記開閉器が第１の位置にあるときはそれらの上記第１の出力電圧が一致し、かつ上記開閉器が第２の位置にあるときには位相が１８０度異なるように上記第１および第２の電圧源を操作する、上記第１および第２の電圧源に結合されたコントローラをさらに含む請求項１に記載の発電システム。
【請求項４】
上記コントローラは、第１の電圧源を操作する第１のコントローラおよび第２の電圧源を操作する第２のコントローラを含む請求項３に記載の発電システム。
【請求項５】
上記第１および第２の電圧源は、上記第１および第２の電圧源の出力を供給する出力を有する交流電力変換装置にそれぞれ結合された発電機を含む請求項１に記載の発電システム。
【請求項６】
第１および第２の巻線のセットを有する一つの発電機は、上記第１および第２の電圧源の発電機、上記第１の電圧源の発電機を設けるように上記第１の電圧源の交流電力変換装置に結合された上記第１の巻線のセット、および上記第２の電圧源の発電機を設けるように上記第２の電圧源の交流電力変換装置に結合された上記第２の巻線のセットを設けている請求項５に記載の発電システム。
【請求項７】
上記第１および第２の電圧源の上記交流電力変換装置は、サイクロコンバータを含む請求項６に記載の発電システム。
【請求項８】
上記第１および第２の電圧源の上記サイクロコンバータに結合されたコントローラをさらに含み、開閉器が第１の位置にあるときはそれらの第１の出力電圧が一致し、かつ上記開閉器が第２の位置にあるときには位相が１８０度異なるように上記コントローラが上記第１および第２の電圧源の上記サイクロコンバータを操作する請求項７に記載の発電システム。
【請求項９】
コントローラが余弦波制御を用いて上記サイクロコンバータを操作する請求項８に記載の発電システム。
【請求項１０】
上記発電機が、互いに１２０度ずれている回転子の位置を示す信号を生成する複数の回転子位置計測装置を含む請求項９に記載の発電システム。
【請求項１１】
上記コントローラが、上記回転子位置信号を用いてそれがサイクロコンバータを操作するために用いる制御波形を発現させる請求項１０に記載の発電システム。
【請求項１２】
上記発電機は、発電機の回転子の位置を探査し、回転子の位置を示す信号を生成する少なくとも一つの回転子位置計測装置を含み、
上記発電機が発動機を始動させるためのブラシレスＤＣモータとして上記発電機を駆動させる少なくとも一つの発電機巻線のセットに結合されている発動機およびブラシレスＤＣモータ駆動回路、ならびに上記ブラシレスＤＣモータ駆動回路のブラシレスＤＣモータコントローラに結合されている上記回転子位置計測装置を含む請求項９に記載の発電システム。
【請求項１３】
上記発電機が、発動機を始動させるためのブラシレスＤＣモータとして上記発電機を駆動させる少なくとも一つの発電機巻線のセットに結合されている発動機およびブラシレスＤＣモータ駆動回路、ならびに上記ブラシレスＤＣモータ駆動回路のブラシレスＤＣモータコントローラに結合されている複数の上記回転子位置計測装置を含む請求項１０に記載の発電システム。
【請求項１４】
前記開閉器は、単極開閉器を含む請求項１に記載の発電システム。
【請求項１５】
前記第１および第２の電圧源の出力は、それぞれ非接地側出力および接地側出力を有し、上記単極開閉器が上記第１の電圧源の第１非接地側出力および上記第２の電圧源の第２非接地側出力を通して結合されている単極継電器の単極を備えた一つの上記単極継電器である請求項１４に記載の発電システム。
【請求項１６】
各サイクロコンバータは、自然に整流されたスイッチングデバイスの正バンクおよび負バンクを含み、
上記コントローラは、各サイクロコンバータの自然に整流された開閉機器の正バンクおよび負バンクを非循環モードで操作し、上記サイクロコンバータの瞬時出力電流に基づいて上記コントローラが正バンクおよび負バンクのうちの一つを動作可能にし、もう一つを動作不能にする請求項１１に記載の発電システム。
【請求項１７】
上記コントローラは、上記サイクロコンバータの瞬時出力電流が正から負に移行するときには各サイクロコンバータの正バンクを動作不能にし、その後、上記サイクロコンバータの出力において真電流ゼロ状態が起こった後にのみ上記サイクロコンバータの負バンクを動作可能にし、さらに上記コントローラは、上記サイクロコンバータの瞬時出力電流が負から正に移行するときに各サイクロコンバータの負バンクを動作不可能にし、その後、上記サイクロコンバータの出力において真電流ゼロ状態が起こった後にのみ上記サイクロコンバータの負バンクを動作可能にする請求項１６に記載の発電システム。
【請求項１８】
各サイクロコンバータのために、上記サイクロコンバータの出力における真電流ゼロ状態が、上記サイクロコンバータの実際の出力電流が第１および第２基準レベルの間にあることを決定するコンパレータによって決定される請求項１７に記載の発電システム。
【請求項１９】
上記コントローラは、各サイクロコンバータのために、上記サイクロコンバータの正バンクおよび負バンクが非電導性であることを検出することによって上記サイクロコンバータの出力における真電流ゼロ状態が起こることを決定する請求項１７に記載の発電システム。
【請求項２０】
上記サイクロコンバータのうちの一つの正バンクおよび負バンクが非電導性であることを検出する上記コントローラが、上記サイクロコンバータの正バンクおよび負バンクの自然に整流された各開閉機器を通る電圧がすべて所定のレベルよりも高いことを検出することを含む請求項１９に記載の発電システム。
【請求項２１】
電流リップルを減少させ、バンドパスフィルタによる基本周波数における信号出力は各サイクロコンバータの瞬時出力電流に関していかなる位相シフトも有しないということを保証するために、上記サイクロコンバータの瞬時出力電流をフィルタリングする各サイクロコンバータのためのバンドパスフィルタをさらに含み、上記バンドパスフィルタによる信号出力は上記瞬時出力電流が正から負に移行したかまたは負から正に移行したかを示す信号を生成するコンパレータの入力と結合されている請求項１７に記載の発電システム。
【請求項２２】
発電システムにおいて、サイクロコンバータに結合されている出力を有し、上記サイクロコンバータが自然に整流された開閉機器の正バンクおよび自然に整流された開閉機器の負バンクを有する交流発電機と、
正バンクおよび負バンクの自然に整流された開閉機器に結合されたコントローラと、
上記コントローラに結合されており、発電機の回転子の位置を探査して回転子の位置を示す信号を生成するための回転子位置計測装置と、
上記正バンクおよび負バンクの自然に整流された開閉機器の交換接続を操作するために用いる制御波形を発現させるために回転子位置信号を用いる上記コントローラとを備えた発電システム。
【請求項２３】
上記回転子位置計測装置が、互いに１２０度ずれている回転子の位置を示す信号を生成する複数の回転子位置計測装置を含む請求項２２に記載の発電システム。
【請求項２４】
上記コントローラが参照波を生成し、かつ制御波形と上記参照波との比較に基づいて上記正バンクおよび負バンクの自然に整流された開閉機器のための点孤信号を生成する請求項２３に記載の発電システム。
【請求項２５】
上記交流発電機は、発動機を始動させるためのブラシレスＤＣモータとして上記発電機を駆動させる少なくとも一つの発電機巻線のセットに結合されている発動機およびブラシレスＤＣモータ駆動回路、ならびに上記ブラシレスＤＣモータ駆動回路のブラシレスＤＣモータコントローラに結合されている複数の上記回転子位置計測装置を含む請求項２４に記載の発電システム。
【請求項２６】
上記コントローラは、各サイクロコンバータのために、上記サイクロコンバータの正バンクおよび負バンクを非循環モードで操作し、上記サイクロコンバータの瞬時出力電流に基づいて上記コントローラが正バンクおよび負バンクのうちの一つを動作可能にし、もう一つを動作不能にする請求項２３に記載の発電システム。
【請求項２７】
上記コントローラは、各サイクロコンバータのために、正と負または負と正との間を移行している上記サイクロコンバータの瞬時出力電流に基づいて上記サイクロコンバータの正バンクおよび負バンクのうちの一つを動作可能に、もう一つを動作不可能にし、上記コントローラが上記サイクロコンバータの出力において真電流ゼロ状態が起こった後にのみ上記サイクロコンバータの正バンクおよび負バンクを動作可能にする請求項２６に記載の発電システム。
【請求項２８】
各サイクロコンバータのために、上記サイクロコンバータの出力における真電流ゼロ状態が、上記サイクロコンバータの実際の出力電流が第１および第２の基準レベルの間にあることを決定するコンパレータによって決定される請求項２７に記載の発電システム。
【請求項２９】
上記コントローラが、正バンクおよび負バンクが非電導性であることを検出することにより上記サイクロコンバータのうち一つの出力における真電流ゼロ状態が起こることを決定する請求項２７に記載の発電システム。
【請求項３０】
上記正バンクおよび負バンクが非電導性であることを検出する上記コントローラは、電圧が自然に整流された各開閉機器を通ることを検出し、かつ上記正バンクおよび負バンクが所定のレベルよりも高いことを検出することを含む請求項２９に記載の発電システム。
【請求項３１】
電流リップルを減少させ、上記バンドパスフィルタによる基本周波数における信号出力は、瞬時出力電流に関していかなる位相シフトも有しないということを保証するために、上記サイクロコンバータの瞬時出力電流をフィルタリングするバンドパスフィルタをさらに含み、上記バンドパスフィルタによる信号出力は上記瞬時出力電流が正から負に移行したかまたは負から正に移行したかを示す信号を生成するコンパレータの入力と結合されている請求項２７に記載の発電システム。
【請求項３２】
サイクロコンバータに結合されている出力を有し、上記サイクロコンバータが自然に整流された開閉機器の正バンクおよび自然に整流された開閉機器の負バンクを有する上記交流発電機と、
正バンクおよび負バンクの自然に整流された開閉機器に結合されたコントローラと、
上記正バンクおよび負バンクを非循環モードで操作し、上記サイクロコンバータの瞬時出力電流に基づいて各コンバータの正バンクおよび負バンクのうちの一つを動作可能にしもう一つを動作不能にする上記コントローラと、
電流リップルを減少させ、バンドパスフィルタによる基本周波数における信号出力は各サイクロコンバータの瞬時出力電流に関していかなる位相シフトも有しないということを保証するために上記サイクロコンバータの瞬時出力電流をフィルタリングし、上記瞬時出力電流が正から負に移行したかまたは負から正に移行したかを示す信号を生成するコンパレータの入力と結合されている上記バンドパスフィルタにより上記信号が出力されるようになっている上記バンドパスフィルタとを備えた発電システム。
【請求項３３】
上記コントローラは、上記正バンクおよび負バンクのうちの一つを動作不可能にした後にのみもう一つを動作可能にし、それが上記サイクロコンバータの出力が真電流ゼロ状態を通過したことを検出し、自然に整流された各開閉機器が非電導性であることを示す所定のレベルよりも自然に整流された各開閉機器を通る電圧が高いときに上記サイクロコンバータの出力における上記真電流ゼロ状態が起きることを上記コントローラが検出する請求項３２に記載の発電システム。
【請求項３４】
自然に整流された各開閉機器が、シリコン制御整流素子と光シリコン制御整流素子との組合せを含む請求項３２に記載の発電システム。
【請求項３５】
サイクロコンバータに結合されている出力を有し、上記サイクロコンバータが自然に整流された開閉機器の正バンクおよび自然に整流された開閉機器の負バンクを有する交流発電機と、
シリコン制御整流素子と光シリコン制御整流素子との組合せを備えた自然に整流された各開閉機器とを備える発電システム。
【請求項３６】
第１のモードにあるときは公称１２０ＶＡＣの出力電圧を有し、第２のモードにあるときは公称１２０ＶＡＣおよび公称２４０ＶＡＣとの両方の出力電圧を有するデュアルモード発電システムにおいて、
絶縁された三相巻線と回転子との第１および第２のセットを有する永久磁石発電機と、
上記永久磁石発電機の上記回転子を駆動させるための発動機と、
互いに１２０度ずれている回転子の位置を示す信号を生成する複数の回転子位置計測装置と、
上記発電機の巻線の第１セットに結合された第１のサイクロコンバータおよび上記発電機の巻線の第２セットに結合された第２のサイクロコンバータと、
それぞれに非接地側出力および接地側出力を有し第１のサイクロコンバータの上記非接地側出力が第１アウトレットの上記非接地側出力に、第１のサイクロコンバータの上記接地側出力が第１アウトレットの上記接地側出力に、第２のサイクロコンバータの上記非接地側出力が第２アウトレットの非接地側出力に、第２のサイクロコンバータの上記接地側出力が第２アウトレットの上記接地側出力に結合された第１および第２のコンバータと、
それぞれが上記自然に整流された開閉機器の正バンクおよび自然に整流された開閉機器の負バンクを有する第１および第２のコンバータと、
第１のサイクロコンバータの非接地側出力および接地側出力を通って結合された第１フィルタコンデンサおよび第２のサイクロコンバータの非接地側出力および接地側出力を通って結合された第２フィルタコンデンサと、
第１および第２アウトレットの非接地側出力を通って結合された第３アウトレットおよび第１および第２アウトレットの非接地側出力を通って結合された開閉機と、
それが第１および第２のサイクロコンバータの自然に整流された開閉機器の交換接続を操作するために用いる余弦制御波形を発現させるために上記回転子位置計測装置により生成された信号を用い、上記開閉器が閉じており第１および第２アウトレットで１２０ＶＡＣの公称出力電圧が上記発電システムが第２のモードにあるときより多くの電流とともに発生する第１および第２のサイクロコンバータの非接地側出力が並列している第１のモードに発電システムがあるときには、第１および第２のサイクロコンバータの非接地側出力の出力電圧が一致するように上記第１および第２のサイクロコンバータを操作し、かつ上記開閉器が開いており第３アウトレットが上記第１および第２アウトレットで発生する１２０ＶＡＣの公称出力電圧と上記第３アウトレットで発生する２４０ＶＡＣの公称出力電圧との両方を備えた上記第１および第２のサイクロコンバータの非接地側出力と直列に連結している第２のモードに発電システムがあるときには第１および第２のサイクロコンバータの非接地側出力の出力電圧の位相が互いに１８０度異なるように上記第１および第２のサイクロコンバータを操作する自然に整流された上記開閉機器および上記回転子位置計測装置に結合されたコントローラとを備えた、第１のモードにあるときは１２０ＶＡＣの公称出力電圧を有し第２のモードにあるときは公称２４０ＶＡＣの出力電圧を有すデュアルモード発電システム。
【請求項３７】
さらに、上記発電機および上記発電機と上記回転子位置計測装置とに結合されているブラシレスＤＣモータ駆動回路を駆動させる発動機を含み、上記ブラシレスＤＣモータ駆動回路が発動機を始動させるために上記発電機をブラシレスＤＣモータとして駆動させる請求項３６に記載の発電システム。
【請求項３８】
上記開閉器が単極開閉器である請求項３６に記載の発電システム。
【請求項３９】
上記コントローラは、各サイクロコンバータの自然に整流された開閉機器の正バンクおよび負バンクを非循環モードで操作し、そこで上記コントローラが上記サイクロコンバータの非接地側出力において真電流ゼロ状態が起こったことを検出した後にのみ各サイクロコンバータの正バンクおよび負バンクのうちの一つを動作可能にする正と負または負と正との間を移行している上記サイクロコンバータの瞬時出力電流に基づいて上記コントローラが正バンクおよび負バンクのうちの一つを動作可能にし、もう一つを動作不可能にする請求項３６に記載の発電システム。
【請求項４０】
上記コントローラが、上記サイクロコンバータの正バンクおよび負バンクの自然に整流された各開閉機器を通る電圧が、上記サイクロコンバータの自然に整流された各開閉機器が非電導性であることを示す所定のレベルよりも高いことを検出したときに、上記サイクロコンバータのうちの一つの非接地側出力において真電流ゼロ状態が起こったことを検出する請求項３９に記載の発電システム。
【請求項４１】
さらに、電流リップルを減少させ、各バンドパスフィルタによる信号出力の６０ヘルツの基本波成分は上記サイクロコンバータの非接地側出力において瞬時出力電流に関していかなる位相シフトも有しないということを保証するために、上記サイクロコンバータの非接地側出力における瞬時出力電流をフィルタリングする各サイクロコンバータのためのバンドパスフィルタを含み、上記バンドパスフィルタによる信号出力は上記瞬時出力電流が正から負に移行するかまたは負から正に移行するかを示す信号を生成するコンパレータの入力と結合されている請求項４０に記載の発電システム。
【請求項４２】
前記発電機がモード間で交換接続し上記発電システムが第１のモードから第２のモードに交換接続する場合、上記コントローラが、
ａ．開閉器を開き、
ｂ．上記第１および第２のサイクロコンバータの自然に整流された各開閉機器をそれらがすべて非電導性になるよう動作不可能にし、
ｃ．所定の遅延の後、第１および第２のサイクロコンバータの、非接地側出力の位相が互いに１８０度異なるように第１および第２のサイクロコンバータの自然に整流された各開閉機器を再び動作可能にし、
かつ、上記発電システムが第２のモードから第１のモードに交換接続する場合、上記コントローラが、
ａ．上記第１および第２のサイクロコンバータのうちの一つの自然に整流された各開閉機器を動作不可能にし、
ｂ．所定の遅延の後、第１および第２のサイクロコンバータの非接地側出力が一致するように動作不可能にされていた自然に整流された開閉機器を再び動作可能にし、
ｃ．開閉器を閉じる、請求項３６に記載の発電システム。
【請求項４３】
発電システムが第１のモードにあるときは第１の交流出力電圧を発生させ、第２のモードにあるときは上記第１の出力電圧および第２の交流出力電圧を発生させ、上記第２の出力電圧は上記第１の出力電圧の２倍であり、少なくとも第１および第２のモードを有する上記発電システムを操作する方法において、
前記第１および第２の電圧源の出力を直列に結合しかつ上記発電システムが第１のモードにあるときは上記第１および第２の電圧源の出力の電圧が互いに一致するように上記第１および第２の電圧源を操作することと、
前記第１および第２の電圧源の出力を並列に結合しかつ上記第２の出力電圧が上記第１および第２の電圧源の直列結合された出力を通って発生し上記第１の出力電圧が上記第１および第２の電圧源の各出力において発生する第２のモードに上記発電システムがあるときは上記第１および第２の電圧源の出力の電圧の位相が１８０度異なるように上記第１および第２の電圧源を操作することと、
を備えた、発電システムが第１のモードにあるときは第１交流出力電圧を発生させ、第２のモードにあるときは上記第１の出力電圧および第２の交流出力電圧を発生させ、上記第２の出力電圧は上記第１の出力電圧の２倍であり、少なくとも第１および第２のモードを有する上記発電システムを操作する方法。
【請求項４４】
永久磁石発電機の回転子の位置を示す回転子位置信号の生成と、上記回転子位置信号からの前記制御波形の発現および第１および第２のサイクロコンバータを制御するための上記制御波形の使用とを含み、上記第１のサイクロコンバータが上記永久磁石発電機の第１の巻線のセットに結合され、かつ上記第２のサイクロコンバータが上記永久磁石発電機の第２の巻線のセットに結合され、上記第１のサイクロコンバータが第１の電圧源の出力を供給する出力を有し、かつ上記第２のサイクロコンバータが第２の電圧源の出力を供給する出力を有する、請求項４３に記載の方法。
【請求項４５】
各サイクロコンバータが自然に整流された上記開閉機器の正バンクおよび負バンクと、各サイクロコンバータの正バンクおよび負バンクを非循環モードで操作することと、上記サイクロコンバータの出力において真電流ゼロ状態が起こった後にのみ上記サイクロコンバータのうちの一つの正バンクおよび負バンクのうちの一つが動作可能にされ正と負または負と正との間を移行している上記サイクロコンバータの瞬時出力電流に基づいて正バンクおよび負バンクのうちの一つを動作可能にし、もう一つを動作不可能にすることを含む上記方法を含む請求項４４に記載の方法。
【請求項４６】
第１の電圧源の出力と第２の電圧源の出力との並列または直列の結合が、上記出力が直列に結合されるよう開き、上記出力が並列に結合されるよう閉じる第１および第２の電圧源を通って結合された単極開閉器の交換接続を含む請求項４３に記載の方法。
【請求項４７】
上記単極開閉器は、単極継電器である請求項４６に記載の方法。
【請求項４８】
開閉器が上記第１および第２の電圧源の出力の間に結合され、上記方法が、まず上記開閉器を開きそれからそれらがすべて電導性になるように上記第１および第２のサイクロコンバータの自然に整流された各開閉機器を動作不可能にしそして再び上記第１および第２のサイクロコンバータの自然に整流された各開閉機器を動作可能にすることおよび上記第１のおよび第２のサイクロコンバータを上記第１および第２のサイクロコンバータの出力で発生する電圧の位相が互いに１８０度異なるように操作することによる上記発電システムの第１のモードから第２のモードへの交換接続と、
上記第１および第２のサイクロコンバータのうちの一つの自然に整流された開閉機器を動作不可能にしそれから動作不可能にされていた自然に整流された上記開閉機器を所定の遅延の後再び動作可能にすることおよび上記第１および第２のサイクロコンバータを上記第１および第２のサイクロコンバータの出力で発生する電圧が一致するように操作しそして上記開閉器を閉じることによる上記発電システムの第２のモードから第１のモードへの交換接続とを含む請求項４５に記載の方法。
【請求項４９】
第１のモードにあるときは公称１２０ＶＡＣの出力電圧を、第２のモードにあるときは公称１２０ＶＡＣと２４０ＶＡＣとの両方の出力電圧を有し、絶縁された三相巻線と回転子との第１および第２のセットを有する永久磁石発電機を有する発電システム、上記永久磁石発電機の上記回転子を駆動させるための発動機、互いに１２０度ずれている回転子の位置を示す信号を生成する複数の回転子位置計測装置、上記発電機の巻線の第１のセットに結合された第１のサイクロコンバータおよび上記発電機の巻線の第２のセットに結合された第２のサイクロコンバータ、それぞれに非接地側出力および接地側出力（output）を有し第１のサイクロコンバータの上記非接地側出力が第１のアウトレット（outlet）の上記非接地側出力に、第１のサイクロコンバータの上記接地側出力が第１のアウトレットの上記接地側出力に、第２のサイクロコンバータの上記非接地側出力が第２のアウトレットの非接地側出力に、第２のサイクロコンバータの上記接地側出力が第２アウトレットの上記接地側出力に結合された第１および第２のコンバータ、それぞれが上記自然に整流された開閉機器の正バンクおよび自然に整流された開閉機器の負バンクを有する第１および第２のコンバータ、第１のサイクロコンバータの非接地側出力および接地側出力を通って結合された第１のフィルタコンデンサおよび第２のサイクロコンバータの非接地側出力および接地側出力を通って結合された第２のフィルタコンデンサ、第１および第２のアウトレットの非接地側出力を通って結合された第３のアウトレットおよび第１および第２のアウトレットの非接地側出力を通って第３のアウトレットと並列に結合された開閉器を有するデュアルモード発電システムにおいて、
第１および第２のサイクロコンバータの自然に整流された開閉機器の交換接続を制御するための余弦制御波形を発現させるために上記永久磁石発電機の回転子の位置を示す信号を使用することと、
上記開閉器が閉じており上記第１および第２のサイクロコンバータの非接地側出力が並列に結合されそれらの非接地側出力の出力電圧が一致するように上記第１および第２のサイクロコンバータを操作し上記発電システムが第２のモードにあるときに得られるよりも多くの電流とともに公称１２０ＶＡＣの出力電圧が第１および第２のアウトレットで発生する第１のモードで上記発電システムを操作することと、
および上記開閉器が開いており上記第１および第２のサイクロコンバータの非接地側出力が直列に結合されそれらの非接地側出力の出力電圧の位相が１８０度異なるように上記第１および第２のサイクロコンバータを操作し公称１２０ＶＡＣの出力電圧が第１および第２アウトレットで発生しまた公称２４０ＶＡＣの出力電圧が第３アウトレットで発生する第２のモードで上記発電システムを操作することとを含むデュアルモード発電システムの操作方法。
【請求項５０】
上記発電システムが上記永久磁石発電機の回転子を駆動させるための発動機を含み、上記方法が機を始動させるためにブラシレスＤＣモータとして上記永久磁石発電機を駆動させるために上記回転子位置信号を使用することを含む請求項４９に記載の方法。
【請求項５１】
上記開閉器が単極開閉器である請求項４９に記載の方法。
【請求項５２】
まず上記開閉器を開きそれからそれらがすべて電導性になるように上記第１および第２のサイクロコンバータの自然に整流された各開閉機器を動作不可能にしそして再び上記第１および第２のサイクロコンバータの自然に整流された各開閉機器を動作可能にすることおよび上記第１および第２のサイクロコンバータを上記第１および第２のサイクロコンバータの出力で発生する電圧の位相が互いに１８０度異なるように操作することによる上記発電システムの第１のモードから第２のモードへの交換接続と、
上記第１および第２のサイクロコンバータのうちの一つの自然に整流された開閉機器を動作不可能にしそれから動作不可能にされていた上記自然に整流された開閉機器を所定の遅延の後再び動作可能にすることおよび上記第１および第２のサイクロコンバータを上記第１および第２のサイクロコンバータの出力で発生する電圧が一致するように操作しそして上記開閉器を閉じることによる上記発電システムの第２のモードから第１のモードへの交換接続とを含む請求項４９に記載の方法。
【請求項５３】
サイクロコンバータが自然に整流された開閉機器の正バンクおよび自然に整流された開閉機器の負バンクを有し、回転子の位置に基づいて制御波形を発現させることおよび上記制御波形を上記自然に整流された開閉機器の交換接続のために使用することを含む、上記サイクロコンバータに結合された出力を備えた交流発電機を有する発電システムを操作する方法。
【請求項５４】
上記発電システムは、互いに１２０度ずれている回転子の位置を示す信号を生成する複数の回転子位置計測装置を含み、制御波形を生成するために上記回転子位置信号を用いることを含む請求項５３に記載の方法。
【請求項５５】
サイクロコンバータに結合された出力を備えた交流発電機を有し、上記サイクロコンバータが自然に整流された開閉機器の正バンクおよび自然に整流された開閉機器の負バンクを有する発電システムを制御する方法において、上記方法が上記サイクロコンバータの正バンクおよび負バンクを非循環モードで操作し、上記サイクロコンバータの出力で発生され正と負または負と正との間を移行している上記サイクロコンバータの瞬時出力電流に基づいて上記コントローラが正バンクおよび負バンクのうちの一つを動作可能にし、もう一つを動作不可能にすること、電流リップルを減少させ、フィルタ処理された信号の基本周波数成分は瞬時出力電流に関していかなる位相シフトも有しないということを保証するためにフィルタ処理された信号を生成する上記サイクロコンバータの瞬時出力電流のバンドパスフィルタリング、および上記フィルタ処理された信号と上記瞬時出力電流が正から負に移行したかまたは負から正に移行したかを決定するための少なくとも一つの基準レベルとの比較を含む方法。
【請求項５６】
上記コントローラが上記第１のサイクロコンバータを操作する第１のコントローラ、および上記第２のサイクロコンバータを操作する第２のコントローラを含む請求項２２または３６に記載の発電システム。
【請求項５７】
上記コントローラが上記回転子位置信号を用いて上記発電機のｂａｃｋ−ＥＭＦ電圧波形をシミュレートし、それが上記サイクロコンバータを制御するために使用する上記ｂａｃｋ−ＥＭＦ電圧波形から制御波形を発現させる請求項１０、２２、２３、または、３６に記載の発電システム。
【請求項５８】
上記回転子位置信号を用いて上記発電機のｂａｃｋ−ＥＭＦ電圧波形をシミュレートすること、および上記ｂａｃｋ−ＥＭＦ電圧波形から上記制御波形を発現させることを含む請求項４４、４９、または、５３に記載の方法。
【請求項５９】
ブラシレスＤＣモータ駆動回路に直流電力を供給するブラシレスＤＣモータ駆動回路に結合された携帯用標準バッテリパックをさらに含む請求項１２、１３、または、２５に記載の発電システム。
【国際調査報告】
2006517377.tif 000013
2006517377.tif 000014